(57)【要約】      （修正有）【課題】物理ランダムアクセスチャネル（ＰＲＡＣＨ）ベースプロキシミティ検出において使用するシグナリングプロシージャを改善する。【解決手段】サービング基地局から、モバイルデバイスが物理ランダムアクセスチャネル（ＰＲＡＣＨ）上で周期的送信を行うようにトリガする信号をモバイルデバイスへ送信する。信号は周期的送信のためのシグネチャシーケンスセット、送信電力情報およびプロキシミティ検出フラグのうちの１つまたは複数を含む。【選択図】図５
2018129817.tif 000002
【特許請求の範囲】
【請求項１】
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を備え、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、ワイヤレス通信の方法。
【請求項２】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、
をさらに備える、請求項１に記載の方法。
【請求項３】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項１に記載の方法。
【請求項４】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項１に記載の方法。
【請求項５】
前記固定送信電力が、
前記モバイルデバイスの最大送信電力よりも小さい所定の送信電力、および
前記モバイルデバイスの前記最大送信電力
のうちの１つを含む、請求項４に記載の方法。
【請求項６】
前記所定の送信電力がワイヤレス通信ネットワークによってシグナリングされる、請求項５に記載の方法。
【請求項７】
前記サービング基地局において、前記ＰＲＡＣＨ上での前記周期的送信中の前記モバイルデバイスからＰＲＡＣＨ送信を受信することと、
前記サービング基地局が、前記モバイルデバイスへのＰＲＡＣＨ肯定応答メッセージの送信を遅延させることと
をさらに備える、請求項１に記載の方法。
【請求項８】
前記モバイルデバイスに関連する前記受信されたＰＲＡＣＨ中でプリアンブルを検出すること
をさらに備え、ここにおいて、前記遅延させることが、所定の時間の間前記ＰＲＡＣＨ肯定応答の送信を遅延させること
を含む、請求項７に記載の方法。
【請求項９】
ワイヤレス通信のために構成された装置であって、
少なくとも１つのプロセッサと、
前記少なくとも１つのプロセッサに結合されたメモリと
を備え、ここにおいて、前記少なくとも１つのプロセッサは、
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を行うように構成され、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、装置。
【請求項１０】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、を行うための前記少なくとも１つのプロセッサの構成をさらに備える、請求項９に記載の装置。
【請求項１１】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項９に記載の装置。
【請求項１２】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項９に記載の装置。
【請求項１３】
前記サービング基地局において、前記ＰＲＡＣＨ上での前記周期的送信中の前記モバイルデバイスからＰＲＡＣＨ送信を受信することと、
前記サービング基地局が、前記モバイルデバイスへのＰＲＡＣＨ肯定応答メッセージの送信を遅延させることと
を行うための前記少なくとも１つのプロセッサの構成をさらに備える、請求項９に記載の装置。
【請求項１４】
プログラムコードを記憶した非一時的コンピュータ可読媒体であって、前記プログラムコードは、コンピュータに、
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を行わせるためのプログラムコードを備え、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、非一時的コンピュータ可読媒体。
【請求項１５】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、を前記コンピュータに行わせるためのプログラムコード
をさらに備える、請求項１４に記載の非一時的コンピュータ可読媒体。
【請求項１６】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項１４に記載の非一時的コンピュータ可読媒体。
【請求項１７】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項１４に記載の非一時的コンピュータ可読媒体。
【請求項１８】
前記固定送信電力が、
前記モバイルデバイスの最大送信電力よりも小さい所定の送信電力、および
前記モバイルデバイスの前記最大送信電力
のうちの１つを含む、請求項１７に記載の非一時的コンピュータ可読媒体。
【請求項１９】
前記所定の送信電力がワイヤレス通信ネットワークによってシグナリングされる、請求項１８に記載の非一時的コンピュータ可読媒体。
【請求項２０】
前記サービング基地局において、前記ＰＲＡＣＨ上での前記周期的送信中の前記モバイルデバイスからＰＲＡＣＨ送信を受信することを前記コンピュータに行わせるためのプログラムコードと、
前記サービング基地局が、前記モバイルデバイスへのＰＲＡＣＨ肯定応答メッセージの送信を遅延させることを前記コンピュータに行わせるためのプログラムコードと
をさらに備える、請求項１４に記載の非一時的コンピュータ可読媒体。
【請求項２１】
前記モバイルデバイスに関連する前記受信されたＰＲＡＣＨ中でプリアンブルを検出することを前記コンピュータに行わせるためのプログラムコード
をさらに備え、ここにおいて、遅延させることを前記コンピュータに行わせるための前記プログラムコードが、所定の時間の間前記ＰＲＡＣＨ肯定応答の送信を遅延させることを前記コンピュータに行わせるためのプログラムコード
を含む、請求項２０に記載の非一時的コンピュータ可読媒体。
【請求項２２】
ワイヤレス通信のために構成された装置であって、
サービング基地局から、前記サービング基地局と通信状態にあるモバイルデバイスに信号を送信するための手段と、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信するための手段と、
前記サービング基地局が、前記時間期間中に前記モバイルデバイスからアップリンクデータを受信するための手段と、
前記サービング基地局から、前記モバイルデバイスに非アクティブ化信号を送信するための手段と、
を備え、ここにおいて、前記非アクティブ化信号が、前記時間期間中に前記ＰＲＡＣＨ上での前記周期的送信を停止し、前記信号が、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、装置。
【請求項２３】
前記信号が、
前記ＰＲＡＣＨ上での前記周期的送信の持続時間、
前記ＰＲＡＣＨ上での前記周期的送信の間隔、
前記ＰＲＡＣＨ上での前記周期的送信の周期性、
復号継続信号、ここにおいて、前記復号継続信号が、前記ＰＲＡＣＨ上での前記周期的送信中に前記サービング基地局から受信されたデータを復号し続けることを前記モバイルデバイスにシグナリングする、および
それらの組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項２２に記載の装置。
【請求項２４】
前記固定送信電力が、
前記モバイルデバイスの最大送信電力よりも小さい所定の送信電力、および
前記モバイルデバイスの前記最大送信電力
のうちの１つを含む、請求項２３に記載の装置。
【請求項２５】
前記所定の送信電力がワイヤレス通信ネットワークによってシグナリングされる、請求項２４に記載の装置。
【請求項２６】
前記サービング基地局において、前記ＰＲＡＣＨ上での前記周期的送信中の前記モバイルデバイスからＰＲＡＣＨ送信を受信するための手段と、
前記サービング基地局が、前記モバイルデバイスへのＰＲＡＣＨ肯定応答メッセージの送信を遅延させるための手段と
をさらに備える、請求項２２に記載の装置。
【請求項２７】
前記モバイルデバイスに関連する前記受信されたＰＲＡＣＨ中でプリアンブルを検出するための手段
をさらに備え、ここにおいて、前記遅延させるための手段が、所定の時間の間前記ＰＲＡＣＨ肯定応答の送信を遅延させるための手段
を含む、請求項２６に記載の装置。
【発明の詳細な説明】
【技術分野】
【０００１】
関連出願の相互参照
[0001]本出願は、その全体が参照により本明細書に明確に組み込まれる、２０１３年１月３０日に出願された「PRACH-BASED PROXIMITY DETECTION」と題する米国仮特許出願第６１／７５８，６４４号の利益を主張する。
【０００２】
[0002]本開示の態様は、一般にワイヤレス通信システムに関し、より詳細には、物理ランダムアクセスチャネル（ＰＲＡＣＨ：physical random access channel）ベースプロキシミティ検出（proximity detection）に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の代表的な態様は、オーバージエア同調に基づくＰＲＡＣＨベースプロキシミティ検出に関する物理ランダムアクセスチャネル（ＰＲＡＣＨ）処理における効率の増加を対象とする。選択された態様では、サービング基地局からのシグナリングがＵＥのための周期ＰＲＡＣＨシグナリングをトリガし得る。そのような態様では、ＰＲＡＣＨ信号は、サービング基地局からの単一の関係するＰＤＣＣＨに依拠しない。サービング基地局からのシグナリングはまた、送信電力設定、周期性、ＰＲＡＣＨ送信しきい値、シグネチャセットなど、ＵＥがＰＲＡＣＨを送信するときに使用し得る様々な設定を含み得る。トリガリング信号はまた、受信されたＰＤＣＣＨ送信を依然として復号しながらＰＲＡＣＨ信号を送信することをＵＥに通知し得る。
【０００８】
[0008]様々な追加の態様は、ＵＥが増加する送信電力を使用して複数のＰＲＡＣＨ信号を送信するために、サービング基地局がＰＲＡＣＨ応答メッセージを送ることを遅延させることを提供し得る。ある期間の後に、またはＰＲＡＣＨ送信電力が特定のレベルに達したときに、サービング基地局は、ＰＲＡＣＨに応答メッセージを送り、それによって、ＵＥにＰＲＡＣＨ送信を停止させる。
【０００９】
[0009]本開示の追加の態様はまた、任意の動的電力ノード（ＤＰＮ：dynamic power node）が、プロキシミティ検出中にルーチン的に監視されるルートシーケンス（root sequence）をもつ基地局のセットを含むネイバーリスト（neighbor list）を確立することを提供し得る。リストは、ＤＰＮが全電力モードにアクティブ化したときに変化し得るか、またはネットワーク全体の割当てにおいて半静的に設定され得る。ネイバーセット中の各基地局は特定のしきい値を割り当てられ得、しきい値はセル展開の不規則または非対称フットプリントに対応し得る。これらのしきい値は、事前決定されるか、または様々な測定（measurements）、負荷状態、ネットワークイベントなどに基づいて動的に最適化され得る。
【００１０】
[0010]本開示の追加の態様は、サービングセル決定のためのネイバー固有ＰＲＡＣＨ構成を提供する。本態様は、ＤＰＮが、ＰＲＡＣＨリソースのサービングセルベースの好適な区分を識別し、プリアンブルがいつ受信されたか、またはプリアンブルのうちのいずれが受信されたかを分析することを可能にする。プリアンブル、ＰＲＡＣＨリソース、およびタイミングは、バックホールを介して協調されるか、あるいはネットワークまたは機器製造業者によってあらかじめ決定され得る。ＤＰＮがサービング基地局を決定すると、上述したような対応するしきい値が適用され得る。
【００１１】
[0011]本開示のさらなる態様は、サービング基地局から、サービング基地局によってサービスされる（served）モバイルデバイスに信号を送信すること、ここにおいて、その信号がモバイルデバイスからの周期ＰＲＡＣＨ送信（periodic PRACH transmission）をトリガする、を含むワイヤレス通信の方法を対象とする。
【００１２】
[0012]本開示のさらなる態様は、モバイルデバイスにおいて、サービング基地局からの信号を受信することと、その信号に応答してモバイルデバイスから周期ＰＲＡＣＨ送信を送ることとを含むワイヤレス通信の方法を対象とする。
【００１３】
[0013]本開示のさらなる態様は、ＤＰＮにおいて低減電力モードに入ることと、ＤＰＮが、ＤＰＮに近接した１つまたは複数のＵＥからのＰＲＡＣＨ送信を監視することと、複数の候補ＰＲＡＣＨ送信を検出することと、ＵＥからの検出されたＰＲＡＣＨ送信を決定するためにＤＰＮにおいて複数の候補ＰＲＡＣＨ送信を組み合わせることと、ＤＰＮが、検出されたＰＲＡＣＨ送信に基づいてＵＥのプロキシミティを決定することと、プロキシミティに応答してＤＰＮの動作を変更することとを含むワイヤレス通信の方法を対象とする。
【００１４】
[0014]本開示のさらなる態様は、サービング基地局において、モバイルデバイスからＰＲＡＣＨ送信を受信することと、サービング基地局が、モバイルデバイスへのＰＲＡＣＨ肯定応答メッセージの送信を遅延させることとを含むワイヤレス通信の方法を対象とする。
【００１５】
[0015]本開示のさらなる態様は、ＤＰＮにおいて低減電力モードに入ることと、ＤＰＮが、ＤＰＮにおいてネイバーリスト中の少なくとも１つの基地局に関連するルートシーケンスのセットを監視することと、ここにおいて、ルートシーケンスのセットが１つまたは複数のＵＥからのＰＲＡＣＨ送信中にある、ＤＰＮが、ネイバーリスト中の少なくとも１つの基地局のうちの１つに関連するルートシーケンスの検出されたセットに関連するＰＲＡＣＨ送信の受信電力に基づいて、ＵＥのプロキシミティを決定することと、プロキシミティに応答してＤＰＮの動作を変更することとを含むワイヤレス通信の方法を対象とする。
【００１６】
[0016]本開示のさらなる態様は、サービング基地局とモバイルデバイスとの間の通信を確立するための手段と、サービング基地局から、サービング基地局によってサービスされるモバイルデバイスに信号を送信するための手段と、ここにおいて、その信号がモバイルデバイスからの周期ＰＲＡＣＨ送信をトリガする、を含むワイヤレス通信の装置を対象とする。
【００１７】
[0017]本開示のさらなる態様は、モバイルデバイスにおいて、サービング基地局からの信号を受信するための手段と、その信号に応答してモバイルデバイスから周期ＰＲＡＣＨ送信を送るための手段とを含むワイヤレス通信の装置を対象とする。
【００１８】
[0018]本開示のさらなる態様は、ＤＰＮにおいて低減電力モードに入るための手段と、ＤＰＮが、ＤＰＮに近接した１つまたは複数のＵＥからのＰＲＡＣＨ送信を監視するための手段と、複数の候補ＰＲＡＣＨ送信を検出するための手段と、ＵＥからの検出されたＰＲＡＣＨ送信を決定するためにＤＰＮにおいて複数の候補ＰＲＡＣＨ送信を組み合わせるための手段と、ＤＰＮが、検出されたＰＲＡＣＨ送信に基づいてＵＥのプロキシミティを決定するための手段と、プロキシミティに応答してＤＰＮの動作を変更するための手段とを含むワイヤレス通信の装置を対象とする。
【００１９】
[0019]本開示のさらなる態様は、サービング基地局において、モバイルデバイスからＰＲＡＣＨ送信を受信するための手段と、サービング基地局が、モバイルデバイスへのＰＲＡＣＨ肯定応答メッセージの送信を遅延させるための手段とを含むワイヤレス通信の装置を対象とする。
【００２０】
[0020]本開示のさらなる態様は、ＤＰＮにおいて低減電力モードに入るための手段と、ＤＰＮが、ＤＰＮにおいてネイバーリスト中の少なくとも１つの基地局に関連するルートシーケンスのセットを監視するための手段と、ここにおいて、ルートシーケンスのセットが１つまたは複数のＵＥからのＰＲＡＣＨ送信中にある、ＤＰＮが、ネイバーリスト中の少なくとも１つの基地局のうちの１つに関連するルートシーケンスの検出されたセットに関連するＰＲＡＣＨ送信の受信電力に基づいて、ＵＥのプロキシミティを決定するための手段と、プロキシミティに応答してＤＰＮの動作を変更するための手段とを含むワイヤレス通信の装置を対象とする。
【００２１】
[0021]本開示のさらなる態様は、プログラムコードを記憶した非一時的コンピュータ可読媒体を有するコンピュータプログラム製品を対象とし、ここにおいて、プログラムコードは、コンピュータによって実行されたとき、サービング基地局から、サービング基地局によってサービスされるモバイルデバイスに信号を送信すること、ここにおいて、その信号がモバイルデバイスからの周期ＰＲＡＣＨ送信をトリガする、をコンピュータに行わせる。
【００２２】
[0022]本開示のさらなる態様は、プログラムコードを記憶した非一時的コンピュータ可読媒体を有するコンピュータプログラム製品を対象とし、ここにおいて、プログラムコードは、コンピュータによって実行されたとき、モバイルデバイスにおいて、サービング基地局からの信号を受信することと、その信号に応答してモバイルデバイスから周期ＰＲＡＣＨ送信を送ることとをコンピュータに行わせる。
【００２３】
[0023]本開示のさらなる態様は、プログラムコードを記憶した非一時的コンピュータ可読媒体を有するコンピュータプログラム製品を対象とし、ここにおいて、プログラムコードは、コンピュータによって実行されたとき、ＤＰＮにおいて低減電力モードに入ることと、ＤＰＮが、ＤＰＮに近接した１つまたは複数のＵＥからのＰＲＡＣＨ送信を監視することと、複数の候補ＰＲＡＣＨ送信を検出することと、ＵＥからの検出されたＰＲＡＣＨ送信を決定するためにＤＰＮにおいて複数の候補ＰＲＡＣＨ送信を組み合わせることと、ＤＰＮが、検出されたＰＲＡＣＨ送信に基づいてＵＥのプロキシミティを決定することと、プロキシミティに応答してＤＰＮの動作を変更することとをコンピュータに行わせる。
【００２４】
[0024]本開示のさらなる態様は、プログラムコードを記憶した非一時的コンピュータ可読媒体を有するコンピュータプログラム製品を対象とし、ここにおいて、プログラムコードは、コンピュータによって実行されたとき、サービング基地局において、モバイルデバイスからＰＲＡＣＨ送信を受信することと、サービング基地局が、モバイルデバイスへのＰＲＡＣＨ肯定応答メッセージの送信を遅延させることとをコンピュータに行わせる。
【００２５】
[0025]本開示のさらなる態様は、プログラムコードを記憶した非一時的コンピュータ可読媒体を有するコンピュータプログラム製品を対象とし、ここにおいて、プログラムコードは、コンピュータによって実行されたとき、ＤＰＮにおいて低減電力モードに入ることと、ＤＰＮが、ＤＰＮにおいてネイバーリスト中の少なくとも１つの基地局に関連するルートシーケンスのセットを監視することと、ここにおいて、ルートシーケンスのセットが１つまたは複数のＵＥからのＰＲＡＣＨ送信中にある、ＤＰＮが、ネイバーリスト中の少なくとも１つの基地局のうちの１つに関連するルートシーケンスの検出されたセットに関連するＰＲＡＣＨ送信の受信電力に基づいて、ＵＥのプロキシミティを決定することと、プロキシミティに応答してＤＰＮの動作を変更することとをコンピュータに行わせる。
【００２６】
[0026]本開示のさらなる態様は、少なくとも１つのプロセッサと、少なくとも１つのプロセッサに結合されたメモリとを含む装置を対象とする。プロセッサは、サービング基地局から、サービング基地局によってサービスされるモバイルデバイスに信号を送信すること、ここにおいて、その信号がモバイルデバイスからのＰＲＡＣＨ送信をトリガする、を行うように構成される。
【００２７】
[0027]本開示のさらなる態様は、少なくとも１つのプロセッサと、少なくとも１つのプロセッサに結合されたメモリとを含む装置を対象とする。プロセッサは、モバイルデバイスにおいて、サービング基地局からの信号を受信することと、その信号に応答してモバイルデバイスから周期ＰＲＡＣＨ送信を送ることとを行うように構成される。
【００２８】
[0028]本開示のさらなる態様は、少なくとも１つのプロセッサと、少なくとも１つのプロセッサに結合されたメモリとを含む装置を対象とする。プロセッサは、ＤＰＮにおいて低減電力モードに入ることと、ＤＰＮが、ＤＰＮに近接した１つまたは複数のＵＥからのＰＲＡＣＨ送信を監視することと、複数の候補ＰＲＡＣＨ送信を検出することと、ＵＥからの検出されたＰＲＡＣＨ送信を決定するためにＤＰＮにおいて複数の候補ＰＲＡＣＨ送信を組み合わせることと、ＤＰＮが、検出されたＰＲＡＣＨ送信に基づいてＵＥのプロキシミティを決定することと、プロキシミティに応答してＤＰＮの動作を変更することとを行うように構成される。
【００２９】
[0029]本開示のさらなる態様は、少なくとも１つのプロセッサと、少なくとも１つのプロセッサに結合されたメモリとを含む装置を対象とする。プロセッサは、サービング基地局において、モバイルデバイスからＰＲＡＣＨ送信を受信することと、サービング基地局が、モバイルデバイスへのＰＲＡＣＨ肯定応答メッセージの送信を遅延させることとを行うように構成される。
【００３０】
[0030]本開示のさらなる態様は、少なくとも１つのプロセッサと、少なくとも１つのプロセッサに結合されたメモリとを含む装置を対象とする。プロセッサは、ＤＰＮにおいて低減電力モードに入ることと、ＤＰＮが、ＤＰＮにおいてネイバーリスト中の少なくとも１つの基地局に関連するルートシーケンスのセットを監視することと、ここにおいて、ルートシーケンスのセットが１つまたは複数のＵＥからのＰＲＡＣＨ送信中にある、ＤＰＮが、ネイバーリスト中の少なくとも１つの基地局のうちの１つに関連するルートシーケンスの検出されたセットに関連するＰＲＡＣＨ送信の受信電力に基づいて、ＵＥのプロキシミティを決定することと、プロキシミティに応答してＤＰＮの動作を変更することとを行うように構成される。
【図面の簡単な説明】
【００３１】
【図１】[0031]モバイル通信システムの一例を概念的に示すブロック図。
【図２】[0032]モバイル通信システムにおけるダウンリンクフレーム構造の一例を概念的に示すブロック図。
【図３】[0033]アップリンクＬＴＥ（登録商標）／−Ａ通信における例示的なフレーム構造を概念的に示すブロック図。
【図４】[0034]本開示の一態様に従って構成された基地局／ｅＮＢおよびＵＥの設計を概念的に示すブロック図。
【図５】[0035]本開示の一態様による、動的電力ノード（ＤＰＮ）アクティブ化プロシージャと、ＤＰＮをアクティブ化するためにＵＥ送信を利用することとを示すコールフロー図。
【図６】[0036]本開示の一態様に従って構成された周期ＰＲＡＣＨトリガを示すコールフロー図。
【図７】[0037]本開示の一態様に従って構成されたワイヤレスネットワークを示すブロック図。
【図８】[0038]本開示の一態様を実装するために実行される例示的なブロックを示す機能ブロック図。
【図９】[0039]本開示の一態様を実装するために実行される例示的なブロックを示す機能ブロック図。
【図１０】[0040]本開示の一態様を実装するために実行される例示的なブロックを示す機能ブロック図。
【図１１】[0041]本開示の一態様を実装するために実行される例示的なブロックを示す機能ブロック図。
【図１２】[0042]本開示の一態様を実装するために実行される例示的なブロックを示す機能ブロック図。
【図１３】[0043]本開示の一態様を実装するために実行される例示的なブロックを示す機能ブロック図。
【図１４】[0044]本開示の一態様に従って構成されたｅＮＢを示すブロック図。
【図１５】[0045]本開示の一態様に従って構成されたＵＥを示すブロック図。
【図１６】[0046]本開示の一態様に従って構成されたＤＮＰを示すブロック図。
【発明を実施するための形態】
【００３２】
[0047]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は、提示を明快にするためにブロック図の形式で示されることとが当業者には明らかであろう。
【００３３】
[0048]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術のために使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００３４】
[0049]図１に、ＬＴＥ−Ａネットワークであり得る、通信のためのワイヤレスネットワーク１００を示す。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、この用語が使用されるコンテキストに応じて、ｅＮＢのこの特定の地理的カバレージエリアおよび／またはこのカバレージエリアをサービスするｅＮＢサブシステムを指すことがある。
【００３５】
[0050]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示された例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００３６】
[0051]ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示された例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００３７】
[0052]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００３８】
[0053]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。
【００３９】
[0054]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００４０】
[0055]図２に、ＬＴＥ／−Ａにおいて使用されるダウンリンクフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４１】
[0056]ＬＴＥ／−Ａでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００４２】
[0057]ｅＮＢは、図２に示されているように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示された例では、Ｍ＝３である。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示された例でも、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。
【００４３】
[0058]各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示されているように、データ領域を利用するこれらの新しい制御設計、たとえば、リレー物理ダウンリンク制御チャネル（Ｒ−ＰＤＣＣＨ：Relay-Physical Downlink Control Channel）およびリレー物理ＨＡＲＱインジケータチャネル（Ｒ−ＰＨＩＣＨ：Relay-Physical HARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つのサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００４４】
[0059]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４５】
[0060]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００４６】
[0061]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４７】
[0062]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００４８】
[0063]図３は、アップリンクロングタームエボリューション（ＬＴＥ／−Ａ）通信における例示的なフレーム構造３００を示すブロック図である。アップリンクのために利用可能なリソースブロック（ＲＢ：resource block）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、単一のＵＥがデータセクション中の連続サブキャリアのすべてを割り当てられることを可能にし得る、連続サブキャリアを含むデータセクションを生じる。
【００４９】
[0064]ＵＥは、ｅＮＢに制御情報を送信するために、制御セクション中のリソースブロックを割り当てられ得る。ＵＥはまた、ｅノードＢにデータを送信するために、データセクション中のリソースブロックを割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示されているように周波数上でホッピングし得る。
【００５０】
[0065]再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。概して、かなり低い電力レベル（たとえば、１００ｍＷ〜２Ｗ）で送信する、ピコｅＮＢ１１０ｘおよび中継局１１０ｒは、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアなｅＮＢとしてのいずれかで、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００５１】
[0066]ワイヤレスネットワーク１００など、異種ネットワークの動作中、各ＵＥは、通常、より良い信号品質をもつｅＮＢ１１０によってサービスされ、他のｅＮＢ１１０から受信された不要な信号は干渉として扱われる。そのような動作主体は、著しく準最適な性能をもたらすことがあるが、ｅＮＢ１１０の間のインテリジェントリソース協調と、より良いサーバ選択ストラテジーと、効率的な干渉管理のためのより高度の技法とを使用することによって、ワイヤレスネットワーク１００においてネットワーク性能の利得が実現される。
【００５２】
[0067]ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、カバレージエリアまたはセルのエッジ上のＵＥ（「セルエッジ」ＵＥ）への制御チャネル送信のためのより困難なＲＦ環境に寄与し得る、低信号対干渉状態をもつ大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００５３】
[0068]しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が決定されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００５４】
[0069]サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥを効率的にサービスするのに十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブに分散させようと試みる。この概念はセル範囲拡張（ＣＲＥ：cell range extension）と呼ばれる。
【００５５】
[0070]ワイヤレスネットワーク１００は、サーバ選択を決定する方法を変更することによってＣＲＥを達成する。サーバ選択がダウンリンク受信信号強度に基づく代わりに、選択はダウンリンク信号の品質に一層基づく。１つのそのような品質ベースの決定では、サーバ選択は、ＵＥに最小の経路損失を与えるｅＮＢを決定することに基づき得る。さらに、ワイヤレスネットワーク１００は、マクロｅＮＢ１１０ａ〜ｃとピコｅＮＢ１１０ｘとの間にリソースの固定の区分を与える。しかしながら、このアクティブな負荷分散を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００５６】
[0071]ワイヤレスネットワーク１００など、セル範囲拡張を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル展開中のセルからの干渉を低減するために、セル間干渉協調（ＩＣＩＣ：inter-cell interference coordination）が使用され得る。１つのＩＣＩＣ機構は適応リソース区分である。適応リソース区分は、いくつかのｅＮＢにサブフレームを割り当てる。第１のｅＮＢに割り当てられたサブフレーム中ではネイバーｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００５７】
[0072]たとえば、サブフレームは、保護サブフレーム（Ｕサブフレーム）、禁止サブフレーム（Ｎサブフレーム）、および共通サブフレーム（Ｃサブフレーム）という３つのクラスのサブフレーム間で割り振られ得る。保護サブフレームは、第１のｅＮＢによって排他的に使用するために第１のｅＮＢに割り当てられ得る。保護サブフレームは、隣接ｅＮＢからの干渉がないことに基づいて「クリーン」サブフレームと呼ばれることもある。禁止サブフレームはネイバーｅＮＢに割り当てられたサブフレームであり得、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００５８】
[0073]異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ）の電力スペクトル密度（ＰＳＤ：power spectral density）は、ピコｅＮＢおよびフェムトｅＮＢ（ビクティムｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００５９】
[0074]ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限付き関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限付き関連付けによりフェムトｅＮＢ１１０ｙにアクセスすることができないことがあり、次いで、（図１に示されているように）マクロｅＮＢ１１０ｃに、または（図１に示されていない）同じくより低い受信電力をもつフェムトｅＮＢ１１０ｚに接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、それのチャネルリソースのうちの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないことになる。
【００６０】
[0075]そのような支配的干渉シナリオでは、ＵＥと複数のｅＮＢとの間の距離が異なるために、ＵＥにおいて観測される信号電力の相異に加えて、同期システム中でもＵＥによってダウンリンク信号のタイミング遅延も観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信されたダウンリンク信号の伝搬遅延は、約１６．６７μｓ（５ｋｍ÷３×１０8、すなわち、光速、「ｃ」）遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）誤差のレベルに近づくことがある。
【００６１】
[0076]さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が決定され、干渉と区別され得、したがって干渉を消去することが可能になる。
【００６２】
[0077]図４に、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、ｅＮＢ１１０は図１中のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はアンテナ４３４ａ〜４３４ｔを装備し得、ＵＥ１２０はアンテナ４５２ａ〜４５２ｒを装備し得る。
【００６３】
[0078]ｅＮＢ１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ４２０は、データと制御情報とを処理（たとえば、符号化およびシンボルマッピング）して、それぞれデータシンボルと制御シンボルとを取得し得る。送信プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどのために）それぞれの出力シンボルストリームを処理して、出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００６４】
[0079]ＵＥ１２０において、アンテナ４５２ａ〜４５２ｒは、ｅＮＢ１１０からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して、入力サンプルを取得し得る。各復調器４５４はさらに、（たとえば、ＯＦＤＭなどのために）入力サンプルを処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００６５】
[0080]アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１１０に送信され得る。ｅＮＢ１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に与え、復号された制御情報をコントローラ／プロセッサ４４０に与え得る。
【００６６】
[0081]コントローラ／プロセッサ４４０および４８０は、それぞれｅＮＢ１１０における動作およびＵＥ１２０における動作を指示し得る。ｅＮＢ１１０におけるコントローラ／プロセッサ４４０および／または他のプロセッサおよびモジュールは、本明細書で説明する技法のための様々なプロセスを実行するか、またはその実行を指示し得る。ＵＥ１２０におけるコントローラ／プロセッサ４８０および／または他のプロセッサとモジュールはまた、図８〜図１３に示す機能ブロック、および／または本明細書で説明する技法のための他のプロセスを実行するか、またはその実行を指示し得る。メモリ４４２および４８２は、それぞれｅＮＢ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００６７】
[0082]異種ネットワーク、ならびに複数のアクセスノード、基地局、およびｅＮＢが１つまたは複数のＵＥへの通信を行うために利用可能であり得るネットワークでは、ＵＥがサービスされていないとき、またはサービスされているＵＥの数が負荷容量を十分に下回るとき、そのようなノードが電力を低減することが有益であり得る。様々なノードは、完全にオフになること、送信信号デューティサイクルを低減すること、送信電力を低減することなど、低電力動作モードを可能にするか、またはアップリンク（ＵＬ）拡張ＩＣＩＣ（ｅＩＣＩＣ）などを可能にする、エネルギー節約特徴を含み得る。
【００６８】
[0083]そのような節電低電力モードを実装する様々なノードでは、アクティブＵＥのプロキシミティ検出に基づくノードアクティブ化プロシージャを定義することが望ましい。本開示は、アクティブＵＥの検出のために既存の物理アップリンク（ＵＬ）チャネル上での送信を利用する向上した解決策を提供する。物理アップリンクチャネル送信は、物理ランダムアクセスチャネル（ＰＲＡＣＨ）シグネチャシーケンス（signature sequence）など、ランダムアクセスチャネル送信、またはサウンディング基準信号（ＳＲＳ：sounding reference signal）など、基準信号を含み得る。
【００６９】
[0084]図５は、本開示の一態様による、動的電力ノード（ＤＰＮ）アクティブ化プロシージャと、ＤＰＮをアクティブ化するためにＵＥ送信を利用することとを示すコールフロー図である。図５に示されているように、ドナーｅＮＢ５１０は無線リソース管理（ＲＲＭ：radio resource management）サーバ５０５を含み得る。ドナーｅＮＢ５１０は、時間５４０においてアクティブ化パラメータでＤＰＮ５２０を構成し得る。アクティブ化パラメータは、ＵＥプロキシミティを検出するための監視状態（たとえば、ＰＲＡＣＨシグネチャシーケンス、ＳＲＳなど、ＵＥ５３０からの物理アップリンク送信）を示し得る。
【００７０】
[0085]ＤＰＮは、非アクティビティ（inactivity）または低アクティビティ期間中に電力を低減し得、近くのＵＥが検出されると、検出されたＵＥとの通信に参加するために電力を増加させ得る、任意の様々なタイプの基地局またはアクセスポイントである。ＤＰＮは、ピコｅＮＢ、フェムトｅＮＢ、リレー、ユーザｅＮｂ（ＵｅＮＢ）（他の近接したモバイルデバイスに対する基地局またはｅＮＢとして構成され得るＵＥ）など、スモールセルであり得るか、またはマクロｅＮＢなど、ラージセルであり得る。本明細書の様々な図に示された例示的な実装形態は、アクセスポイント、ＵｅＮＢなどを指すことがある。ただし、これらは例示的な実装形態を表すものにすぎず、当業者は、任意のタイプの基地局またはアクセスポイントが様々な態様の範囲内で使用され得ることを容易に認識されよう。
【００７１】
[0086]ドナーｅＮＢ５１０は、場合によっては、物理アップリンクチャネル上で送信するようにＵＥ５３０をトリガし得る。たとえば、ドナーｅＮＢ５１０は、ＵＥ５３０からのＰＲＡＣＨシグネチャシーケンス（またはＳＲＳ）の送信をトリガするために、時間５５０においてＰＤＣＣＨ命令などの制御チャネル命令を送信し得る。アップリンク送信を動的にトリガするのではなく、アップリンク送信は半静的に構成され得る。
【００７２】
[0087]アップリンクトリガ（たとえば、制御チャネル命令）を受信したことに応答して、ＵＥ５３０は、時間５６０において物理チャネル上で送信する（たとえば、ＰＲＡＣＨシグネチャシーケンス、ＳＲＳなど）。ＤＰＮ５２０は、時間５７０においてＵＥ５３０からのアップリンク送信を検出し得る。アップリンク送信がしきい値（たとえば、アクティブ化パラメータ中で与えられたしきい値）を満たす場合、ＤＰＮ５２０はネットワークアクティブ化または自律アクティブ化のいずれかを開始することができる。
【００７３】
[0088]ネットワークアクティブ化の場合、ＤＰＮ５２０は、時間５８０においてドナーｅＮＢ５１０にアクティブ化要求を送信する。アクティブ化要求を受信したことに応答して、ドナーｅＮＢ５１０は、リレーが時間５９５において電源投入し得るように、時間５９０においてＤＰＮ５２０にアクティブ化許可を送信し得る。自律アクティブ化の場合、フローは、時間５７０から、ＤＰＮ５２０が自動的にアクティブ化する時間５９５に直接進む。
【００７４】
[0089]上記で説明したように、一態様によれば、ドナーｅＮＢ５１０はアクティブ化パラメータでＤＰＮ５２０を構成し得る。アクティブ化パラメータは、ＤＰＮ５２０がＵＥ５３０プロキシミティを検出することを可能にする。これらのパラメータは、ＰＲＡＣＨシグネチャシーケンス空間、時間／周波数リソース、またはＳＲＳに関係するものなど他のアップリンクサウンディング送信信号パラメータを含み得る。ＰＲＡＣＨパラメータの場合、ＤＰＮ５２０は、サービングセルＰＲＡＣＨ構成と、場合によっては（１つまたは複数の）近隣セルのＰＲＡＣＨ構成とに基づいて構成され得る。アクティブ化パラメータはまた、しきい値、ＵＥ５３０が、それを上回るとリレーをアクティブ化することを正当化するのに十分近接していると見なされるそのような最小信号強度を含むことができる。代替的にまたは追加として、干渉しきい値が与えられ得る。
【００７５】
[0090]図５に示されているように、ドナーｅＮＢ５１０は、シグネチャシーケンスならびに時間および／または周波数リソースの予約済みセットを使用して、たとえば、ＰＲＡＣＨ送信、ＳＲＳなどとともに、アップリンク上で送信するようにＵＥ５３０を動的にトリガし得る。トリガリングは、データ負荷、無線状態など、ドナーｅＮＢ５１０によって観測される基準に基づき得る。すなわち、ドナーｅＮＢ５１０は、高いダウンリンクデータ負荷の場合およびネットワークがロードされるときにのみＵＥのためのアップリンクトリガを送信し得る。代替的に、ドナーｅＮＢ５１０は、ネットワークセットアップ中にアップリンク送信の周期的トリガまたはイベントベースのトリガを半静的に構成し得る。
【００７６】
[0091]ＤＰＮ５２０は、すべての可能な構成に基づいて、ＰＲＡＣＨ信号、ＳＲＳなど、アップリンク送信を探索し得ることに留意されたい。とはいえ、可能な構成の数は限られた数である。
【００７７】
[0092]一態様によれば、リレーは、ＰＤＣＣＨ命令など、アップリンクトリガでアクティブ化された専用プリアンブルを探索するようにさらに制限され得る。ＤＰＮ５２０は、シグネチャシーケンスの予約済みセットを探索しているので、ＤＰＮ５２０は、ＵＥ５３０の初期アクセス段階中に送られるアップリンク送信（たとえば、ＰＲＡＣＨ送信、ＳＲＳなど）によりアクティブ化されない。
【００７８】
[0093]ＰＲＡＣＨシグネチャシーケンスの１つの利点は、ＰＲＡＣＨシグネチャシーケンスのサイクリックプレフィックスが大きいので、ＰＲＡＣＨシグネチャシーケンスがタイミング不確実性を意図的に処理することである。
【００７９】
[0094]図５にさらに示されているように、一態様によれば、ＵＥ５３０は、ＰＲＡＣＨシグネチャシーケンス、ＳＲＳなど、アップリンクメッセージを送信し得る。アップリンク送信は、ドナーｅＮＢ５１０へのアップリンクデータ送信のために使用されるものと同じキャリア周波数（たとえば、２ＧＨｚ）上またはＤＰＮ５２０へのアクセスリンクのキャリア周波数（たとえば、３．６ＧＨｚ）上であり得る。ＵＥ５３０は、無線状態、データローディング、または電力ヘッドルーム（たとえば、送信電力）など、ＵＥ５３０からの追加情報を搬送するために、シグネチャシーケンスのプールからＰＲＡＣＨシグネチャシーケンスを選択するように構成され得る。いくつかの態様によれば、アップリンク送信は全電力レベルまたは固定電力レベルで送信される。
【００８０】
[0095]ＤＰＮは、他のノードに宛てられた、ＵＥによって送信された、ＰＲＡＣＨ送信、ＳＲＳなど、アップリンク送信を検出する。ＵＥに対して、サービングｅＮＢによって送信されるアップリンク信号要求は、ＰＲＡＣＨの送信を生じるランダムアクセスプロシージャを単にトリガするか、またはＳＲＳなどの送信をシグナリングする。本開示の様々な態様では、ＵＥは、要求されたＰＲＡＣＨ、ＳＲＳ、または他のそのような要求されたアップリンク信号送信がＤＰＮアクティブ化を対象とすることを知らないことがある。ＵＥは、サービングｅＮＢから、アップリンク信号をトリガするＰＤＣＣＨ命令を受信し、ＵＥは信号を送信する。ＤＰＮは、他のノードに宛てられたプリアンブルが送られるリソースを知っていることがあり、また、バックホール協調を通してなど動的に、あるいはネットワーク規格を通してまたは相手先商標製品製造（ＯＥＭ：original equipment manufacturing）情報設定を介してなど半静的に、プリアンブル識別子（ＩＤ）をも潜在的に知っていることがある。これらのリソースおよび／またはプリアンブルＩＤは、プリアンブルを送信するＵＥの識別情報、または対応するサービングｅＮＢの識別情報を決定するために、ＤＰＮによって使用され得る。識別情報は、ＵＥの規格能力（たとえば、Ｒｅｌ−８、Ｒｅｌ−１０など）など、ネットワーク全体の識別情報またはプロパティを含み得る。
【００８１】
[0096]本開示の態様は、個々の信号命令の必要がない周期アップリンク信号送信を提供する。ＰＲＡＣＨまたはＳＲＳ送信ごとに単一のＰＤＣＣＨ命令を必要とする代わりに、サービングｅＮＢからのシグナリングが周期アップリンク信号送信をトリガする。本開示では、周期ＰＲＡＣＨは、各々が前の送信に依存しない、新しいＰＲＡＣＨプロシージャの周期開始を指す。サービング基地局からの単一のトリガリング信号が、周期性がトリガリングによって設定され得る、ＵＥからの複数の周期アップリンク信号送信をトリガする。
【００８２】
[0097]図６は、本開示の一態様に従って構成された周期ＰＲＡＣＨトリガを示すコールフロー図である。ＵＥ６００はｅＮＢ６０２によってサービスされる。低減電力モードにあるＤＰＮ６０１は、それがサービスするか、またはキャリアサポートを与え得る、近くのＵＥからのＰＲＡＣＨ送信を監視する。時間６０３において、ｅＮＢ６０２はＵＥ６００にＰＲＡＣＨトリガ信号を送信する。ＰＲＡＣＨトリガ信号は、レイヤ３の無線リソース制御（ＲＲＣ：radio resource control）、またはレイヤ２のＰＤＣＣＨなど、レイヤ２または３の様々な信号タイプであり得る。トリガ信号は、ＵＥ６００からの周期ＰＲＡＣＨ送信をトリガする。ＵＥ６００は、時間６０５においてＰＲＡＣＨを送信し始める。図示のように、ＵＥ６００は、時間６０６〜時間６０８においても送信する。時間６０６〜時間６０８においてＵＥ６００によって送信されるＰＲＡＣＨ信号は個々のＰＤＣＣＨ信号に依拠しない。ＰＲＡＣＨ信号がＵＥ６００から送信されたとき、ＤＰＮ６０１は、時間６０５〜時間６０８において信号を監視し、検出する。ＤＰＮ６０１は、時間６０５〜時間６０８においてＰＲＡＣＨ信号のいずれかを検出した後にアクティブ化し得る。代替的に、ＤＰＮ６０１は、検出の信頼性を高めるために、時間６０５〜時間６０８においてＰＲＡＣＨ信号を組み合わせ得る。
【００８３】
[0098]ｅＮＢ６０２からのトリガ信号はオン／オフトリガを与え得る。たとえば、時間６０３におけるトリガ信号は、時間６０５〜時間６０８においてＰＲＡＣＨ信号を送信し始めるようにＵＥ６００をトリガする。代替時間６０９において、ｅＮＢ６０２は、ＰＲＡＣＨ信号の送信を停止することをＵＥ６００に示す別のトリガ信号を送信する。
【００８４】
[0099]代替態様では、時間６０３におけるｅＮＢ６０２からのトリガ信号は、ＵＥ６００がＰＲＡＣＨ信号を生成および管理する際に使用する信号設定を含む。時間６０３においてトリガ信号を受信すると、ＵＥ６００はまた、それのＰＲＡＣＨ送信のためにＰＲＡＣＨ設定６０４を実装する。これらの設定は、半永続的ＰＲＡＣＨ送信のための持続時間および間隔を与え得る。たとえば、時間６０３におけるトリガ信号は、ＰＲＡＣＨ信号の周期性を確立すること、シグネチャシーケンスセット、開ループ電力シーケンスに関する送信電力変更などを含む、ＵＥ６００のための命令および設定を含む。それらの設定はまた、ＵＥ６００がＰＲＡＣＨ信号を送信すべきときを示す基準信号受信電力（ＲＳＲＰ：reference signal receive power）しきい値を与え得る。
【００８５】
[00100]ＤＰＮに対するＵＥのプロキシミティは、経路損失を通してなど、ＵＥからＤＰＮまでの粗い距離を推定することによって決定される。距離を推定するために、ＰＲＡＣＨの受信電力と推定送信電力の両方がＤＰＮによって使用される。ただし、ＰＲＡＣＨのための送信電力は固定ではない。現在、ＰＲＡＣＨ送信電力は、ＵＥによって決定されたダウンリンク経路損失推定値に基づく。したがって、推定距離は信頼できないことがあり、それにより、ＤＰＮによるプロキシミティ検出は望ましいそれより信頼できなくなり得る。
【００８６】
[00101]本開示の追加の態様では、時間６０３において送られるトリガ信号は、ＵＥ６００が固定電力でＰＲＡＣＨを送信するための指示を含み得る。固定電力は、特定の電力設定であるか、または単に、および最大電力で送信するための指示であり得る。したがって、ＵＥ６００がプロキシミティ検出電力指示をもつトリガ信号を受信したとき、ＵＥ６００は、固定ルール（たとえば、最大電力、所定の固定電力）に従って送信電力を設定し、現在の経路損失ベースの電力ルールの代わりに固定電力を使用してＰＲＡＣＨを送信する。ＵＥ  ＰＲＡＣＨプロシージャにおける固定電力の使用は、送信ＵＥ６００に対するプロキシミティを測定するための信頼できる機構をＤＮＰ６０１に与える。
【００８７】
[00102]本開示の代替態様では、図６に示された例は、ＰＲＡＣＨ送信の代わりに、ＤＰＮによってプロキシミティ検出を可能にするためにＳＲＳまたは他のタイプのアップリンク信号を使用して実装され得ることに留意されたい。
【００８８】
[00103]時間６０３におけるｅＮＢ６０２からのトリガシグナリングはまた、トリガされたＰＲＡＣＨまたはＳＲＳなどの他のアップリンク信号などがプロキシミティ検出のためのものであるというＵＥ６００への識別情報を含み得、ＵＥ６００が受信したＰＤＣＣＨデータを復号し続けるようにＵＥ６００を促すことにさらに留意されたい。一般的なＰＲＡＣＨプロシージャでは、ＵＥは、通信セッションが再確立されるまで、ＰＤＣＣＨを復号することを中止する。トリガ信号に、復号を続けることをＵＥ６００に通知させると、復号の中断によって引き起こされる追加の通信遅延がないことがある。たとえば、ＵＥ６００がＰＲＡＣＨ設定６０４を実装したとき、設定のうちの１つが、復号を続けることをＵＥ６００に通知する。代替時間６１０において、ｅＮＢ６０２は、ダウンリンクデータをもつＰＤＣＣＨを送信する。ＵＥ６００は、依然として周期ＰＲＡＣＨを送信するプロセスにある間に、６１１においてＰＤＣＣＨを復号する。ＵＥ６００はまた、時間６１２においてｅＮＢ６０２から送られたＰＤＣＣＨを６１３において復号する。したがって、本開示の説明する態様では、ＵＥ６００は、それが周期ＰＲＡＣＨ送信プロシージャに入れられても、ＰＤＣＣＨを復号し続ける。
【００８９】
[00104]ＰＤＣＣＨを復号し続けるための信号は、ｅＮＢ６０２からのトリガ信号中で送信される別個の信号を含み得ることに留意されたい。それはまた、ｅＮＢ６０２からトリガ信号を受信したことに単に基づいて、ＵＥ６００によって解釈されるプロシージャであり得る。
【００９０】
[00105]図７は、本開示の一態様に従って構成されたワイヤレスネットワークを７０示すブロック図である。ワイヤレスネットワーク７０は、サービングｅＮＢ７００によってサービスされるＵＥ７０１を含む。サービングｅＮＢ７００は、ＵＥ７０１からのＰＲＡＣＨのための命令を含むＲＲＣ信号またはＰＤＣＣＨであり得るＰＲＡＣＨトリガ信号７０４をＵＥ７０１に送信する。応答して、ＵＥ７０１はＰＲＡＣＨ信号７０５を周期的に送信し始める。ＤＰＮ７０２およびＵｅＮＢ７０３は、現在パワーダウンモードにあるが、近接ＵＥについてＰＲＡＣＨ信号を監視している。ＤＰＮ７０２およびＵｅＮＢ７０３は、ＰＲＡＣＨベースプロキシミティプロシージャに従ってＰＲＡＣＨ信号７０５を検出し得る。ＤＰＮ７０２とＵｅＮＢ７０３は同じエンティティであり得る（たとえば、ＤＰＮはＵｅＮＢであり得る）ことに留意されたい。
【００９１】
[00106]本開示の態様によれば、ＰＲＡＣＨ信号７０５の第１の送信を受信すると直ちにＰＲＡＣＨ確認応答メッセージ（たとえば、ｍｓｇ２）を送信する代わりに、サービングｅＮＢ７００は確認応答メッセージの送信を遅延させる。ＰＲＡＣＨ肯定応答メッセージを受信することなしに、ＵＥ７０１はＰＲＡＣＨ信号７０５の送信を繰り返す。複数のＰＲＡＣＨ送信がある場合、ＤＰＮ７０２およびＵｅＮＢ７０３は複数のＰＲＡＣＨ信号を検出することが可能であり、これは、ＰＲＡＣＨ送信の正確な検出および分析の確率を改善する。その上、様々な態様では、ＵＥ７０１は、信号がサービングｅＮＢ７００によって正常に受信されなかったと考え得るので、ＵＥ７０１は、ＰＲＡＣＨ信号７０５の各連続送信について送信電力を増加させ得る。したがって、ＤＰＮ７０２およびＵｅＮＢ７０３はＰＲＡＣＨ送信の成功検出および処理の確率をさらに高めることになる。
【００９２】
[00107]サービングｅＮＢ７００は様々な方法でＰＲＡＣＨ肯定応答の送信の遅延を制御し得る。たとえば、サービングｅＮＢ７００は、ＰＲＡＣＨ信号７０５のうちの第１のＰＲＡＣＨ信号が受信されたときにタイマーを開始し得る。タイマーの満了の後に、サービングｅＮＢ７００は、ＵＥ７０１に、ＰＲＡＣＨ信号７０５を送信することを停止させる、ＰＲＡＣＨ肯定応答を送信する。
【００９３】
[00108]本開示の追加の態様によれば、ＤＰＮ７０２およびＵｅＮＢ７０３は、現在のＬＴＥ規格において指定されているように、連続的に割り当てられたルートシーケンスではなく、複数のネイバー基地局からのルートシーケンスを監視するように構成される。監視されるルートシーケンスのセットは、ネットワーク全体で半静的に設定され得るか、またはＰＲＡＣＨベースプロキシミティのために特別に維持され得る。その上、ルートシーケンスのセットは、ＤＰＮ７０２およびＵｅＮＢ７０３が全電力ｅＮＢ状態にあるときに変化する。ルートシーケンスのセットをより良く管理するために、ネイバーリストがＤＰＮ７０２およびＵｅＮＢ７０３において維持される。ネイバーリストは、ＰＲＡＣＨベースプロキシミティ検出のためにルートシーケンスがそれについて監視されるネイバー基地局のセットを含み得る。たとえば、ＤＰＮ７０２およびＵｅＮＢ７０３によって維持されるネイバーリストは、ｅＮＢ７０６〜７０７およびアクセスノード７０８など、近隣基地局を含み得る。
【００９４】
[00109]本開示のいくつかの態様では、そのようなネイバーリストは、ネットワーク事業者または管理者によって構成され得るか、あるいは、ＤＰＮ７０２およびＵｅＮＢ７０３など、特定のＤＰＮが、ＵｅＮＢ７０３によって行われるダウンリンク測定など、ダウンリンク測定を使用して、またはＤＰＮ７０２によって実行されるネットワークリスニングなど、ネットワークリスニングを通して、近くの基地局を自律的に（autonomously）決定し、ネイバーリストを構築し得る。さらに、ネイバーリストは、ＵＥが、ＤＰＮ７０２およびＵｅＮＢ７０３など、ＤＰＮから／に、サービング基地局７００またはｅＮＢ７０６〜７０７など、マクロ基地局に／からハンドオーバされることなど、いくつかのネットワークイベントに基づいて動的に適応され得る。
【００９５】
[00110]本開示の様々な態様では、ネイバー固有しきい値は、ＰＲＡＣＨベースプロキシミティ検出のために維持されるネイバーリスト中の各ネイバー基地局に関連し得る。ＤＰＮ７０２およびＵｅＮＢ７０３など、ＤＰＮは、受信されたＰＲＡＣＨ電力を、ＵＥがＰＲＡＣＨ信号をそれに送っている特定の基地局に対応する割り当てられたしきい値と比較する。しきい値がネイバーリスト中の特定の基地局について満たされるとき、ＤＰＮは、プロキシミティを決定し、全電力アクティブモードに切り替わる。
【００９６】
[00111]存在し得る異なる伝搬状態、アンテナ構成などのために、異なるしきい値がネイバーリスト中の異なる基地局に割り当てられる。その上、山、建築物など、地理的特徴により、特定の基地局のフットプリントは、不規則であるか、一様でないか、または非対称的に配置され得る。しきい値は、これらの考慮事項に基づいて決定される。たとえば、ＵｅＮＢ７０３によって維持されるネイバーリストに関して、サービングｅＮＢ７００に関連するしきい値は、ｅＮＢ７０６がＵｅＮＢ７０３により近いので、ｅＮＢ７０６に関連するしきい値よりも低いことがある。したがって、ｅＮＢ７０６が、ＵＥ７０１をサービスしており、ＰＲＡＣＨ命令７０９を送る場合、ＵｅＮＢ７０３によって検出されたＰＲＡＣＨ信号７１０は、ＵｅＮＢ７０３の完全なアクティブ化をトリガするために、ＰＲＡＣＨ信号がサービングｅＮＢ７００に送られ、ＵＥ７０１がサービングｅＮＢ７００によってサービスされるときの、ＰＲＡＣＨ信号７０５の受信電力よりも低い受信電力を有する必要がある。
【００９７】
[00112]本開示の代替態様では、図７に示された例は、ＰＲＡＣＨ送信の代わりに、ＤＰＮによってプロキシミティ検出を可能にするためにＳＲＳまたは他のタイプのアップリンク信号を使用して実装され得ることに留意されたい。
【００９８】
[00113]図８は、本開示の一態様を実装するために実行される例示的なブロックを示す機能ブロック図である。ブロック８００において、基地局とモバイルデバイスとの間の通信が確立される。図１４を参照すると、本開示の一態様に従って構成されたｅＮＢ６０２のブロック図が示されている。図８に示されたブロックの例では、ｅＮＢ６０２は、メモリ４４２に記憶された論理を実行し、ｅＮＢ６０２の特徴および機能を定義する構成要素を制御する、コントローラ／プロセッサ４４０を含む。ｅＮＢ６０２は、ワイヤレス無線機１４００と信号生成器１４０１とをさらに含む。ワイヤレス無線機１４００は、図４にさらに示されている個々の構成要素を含み得る。信号生成器１４０１は、送信プロセッサ４２０など、個々の構成要素を含み得る。コントローラ／プロセッサ４４０の制御下で、ｅＮＢ６０２は、信号生成器１４０１を使用して信号を生成し、それらの信号を、ワイヤレス無線機１４００を使用してｅＮＢ６０２によってサービスされているＵＥに送信する。
【００９９】
[00114]ブロック８０１において、サービング基地局はモバイルデバイスに信号を送信し、ここにおいて、その信号はモバイルデバイスからの周期ＰＲＡＣＨ送信をトリガする。たとえば、コントローラ／プロセッサ４４０は、周期ＰＲＡＣＨ送信を開始するように被サービスＵＥをトリガするトリガ信号を生成するための機能を動作させる、メモリ４４２に記憶されたＰＲＡＣＨベースプロキシミティ論理１４０２を実行する。選択された態様では、ＰＲＡＣＨベースプロキシミティ論理１４０２の動作機能はＰＲＡＣＨ設定１４０３にアクセスし得、ＰＲＡＣＨ設定１４０３は、周期性、持続時間、送信電力、ＲＳＲＰしきい値情報など、ＵＥが周期ＰＲＡＣＨ信号を生成し、送信する際に使用する、トリガ信号内のＰＲＡＣＨ信号についての設定情報を含む。コントローラ／プロセッサ４４０の制御下で、ｅＮＢ６０２は、レイヤ３信号（たとえば、ＲＲＣ）、レイヤ２信号（たとえば、ＰＤＣＣＨ）を含む、様々な信号としてトリガ信号を生成し得る信号生成器１４０１においてトリガ信号を生成する。トリガ信号は、次いで、ワイヤレス無線機１４００を介してＵＥに送信される。
【０１００】
[00115]随意のブロック８０２において、ＤＰＮは、サービング基地局によってトリガされた周期ＰＲＡＣＨ送信の検出に基づいてモバイルデバイスのプロキシミティを決定する。随意のブロック８０２は、図１０のブロック１００４に示されている機能と同様の機能をＤＰＮに与える。たとえば、ｅＮＢ１１０は、ＤＰＮ６０１など、ＤＰＮの構成要素を表し得る。そのような表現において、ＤＰＮ６０１のコントローラ／プロセッサ４４０は、メモリ４４２に記憶されたＰＲＡＣＨベースプロキシミティ論理１６０３（図１６）の実行中に、アンテナ４３４ａ〜ｔを通して受信される信号を監視し、それらの信号が、復調器／変調器４３２ａ〜ｔによって復調され、モバイルデバイスによって送信された周期ＰＲＡＣＨ信号であると決定される、動作環境を作成する。周期ＰＲＡＣＨ信号の検出は、コントローラ／プロセッサ４４０の制御下で、モバイルデバイスがサービング基地局に近接していると決定するようにＰＲＡＣＨベースプロキシミティ論理１６０３の動作環境に促す。
【０１０１】
[00116]図９は、本開示の一態様を実装するために実行される例示的なブロックを示す機能ブロック図である。ブロック９００において、モバイルデバイスはサービング基地局から信号を受信する。図１５を参照すると、本開示の一態様に従って構成されたＵＥ６００のブロック図が示されている。図９に示されたブロックの例では、ＵＥ６００は、メモリ４８２に記憶された論理を実行し、ＵＥ６００の特徴および機能を定義する構成要素を制御する、コントローラ／プロセッサ４８０を含む。ＵＥ６００は、ワイヤレス無線機１５００と信号生成器１５０１とをさらに含む。ワイヤレス無線機１５００は、図４にさらに示されている個々の構成要素を含み得る。信号生成器１５０１は、送信プロセッサ４６４など、個々の構成要素を含み得る。ワイヤレス無線機１５００を通して受信され、復調された無線周波数信号は、ＰＲＡＣＨ送信をトリガするためのトリガ信号としてコントローラ／プロセッサ４８０の制御下で復号され得る。
【０１０２】
[00117]ブロック９０１において、モバイルデバイスは、信号に応答して周期ＰＲＡＣＨ送信を送る。たとえば、トリガ信号に応答して、コントローラ／プロセッサ４８０は、メモリ４８２に記憶されたＰＲＡＣＨシグナリング論理１５０２を実行する。ＰＲＡＣＨシグナリング論理１５０２の実行環境は、ＵＥ６００に、信号生成器１５０１を使用して周期ＰＲＡＣＨ信号を生成させる。周期ＰＲＡＣＨ信号を生成する際に、ＰＲＡＣＨシグナリング論理１５０２の実行環境は、送信電力、ＰＲＡＣＨ送信の周期性、持続時間などを設定し得る、メモリ４８２中のＰＲＡＣＨ設定１５０３にアクセスする。ＰＲＡＣＨ設定１５０３に記憶された個々の設定は、ネットワーク、機器製造業者によってあらかじめ決定され得るか、またはサービング基地局から受信されたトリガ信号中に含まれ得る。ＰＲＡＣＨ信号が生成されると、ＵＥ６００はワイヤレス無線機１５００を介して信号を送信する。
【０１０３】
[00118]図１０は、本開示の一態様を実装するために実行される例示的なブロックを示す機能ブロック図である。ブロック１０００において、ＤＰＮは低減電力モードに入る。図１６を参照すると、本開示の一態様に従って構成されたＤＰＮ６０１のブロック図が示されている。図１０に示されたブロックの例では、ＤＰＮ６０１は、メモリ４４２に記憶された論理を実行し、ＤＰＮ６０１の特徴および機能を定義する構成要素を制御する、コントローラ／プロセッサ４４０を含む。ＤＰＮ６０１は、ワイヤレス無線機１６００と、信号検出器１６０１と、電力コントローラ１６０２とをさらに含む。ワイヤレス無線機１６００は、図４にさらに示されている個々の構成要素を含み得る。信号検出器１６０１はまた、ＭＩＭＯ検出器４３６および受信プロセッサ４３８など、個々の構成要素を含み得る。被サービスＵＥとの通信に完全には関与していないとき、ＤＰＮ６０１は、電力コントローラ１６０２を制御するコントローラ／プロセッサ４４０の制御下で、低電力状態に切り替わるために電力を低減し得る。
【０１０４】
[00119]ブロック１００１において、ＤＰＮは、ＤＰＮに近接した１つまたは複数のＵＥからのＰＲＡＣＨ送信を監視する。たとえば、コントローラ／プロセッサ４４０は、ワイヤレス無線機１６００を通して受信される近接ＵＥからのＰＲＡＣＨ送信を監視し始めるために、メモリ４４２中のＰＲＡＣＨベースプロキシミティ論理１６０３を実行する。
【０１０５】
[00120]ブロック１００２において、ＤＰＮは複数の候補ＰＲＡＣＨ送信を検出する。たとえば、ワイヤレス無線機１６００を通してＤＰＮ６０１において受信された信号は、そのような受信された信号がＰＲＡＣＨ送信であるかどうかを決定するために、ＰＲＡＣＨベースプロキシミティ論理１６０３を実行するコントローラ／プロセッサ４４０の制御下で信号検出器１６０１を通して処理される。
【０１０６】
[00121]ブロック１００３において、ＤＰＮは、ＵＥからの検出されたＰＲＡＣＨ送信を決定するために複数の候補ＰＲＡＣＨ送信を組み合わせる。たとえば、近接ＵＥによる周期または複数のＰＲＡＣＨ信号の送信がある場合、ＤＰＮ６０１は、コントローラ／プロセッサ４４０の制御下で信号検出器１６０１を用いて、候補ＰＲＡＣＨ信号が、実際検出されたＰＲＡＣＨ信号であるかどうかをより正確に決定するために、ワイヤレス無線機１６００を介して受信された複数の候補ＰＲＡＣＨ信号の統計的組合せを使用し得る。
【０１０７】
[00122]ブロック１００４において、ＤＰＮは、検出されたＰＲＡＣＨ送信に基づいてＵＥのプロキシミティを決定する。たとえば、ＰＲＡＣＨベースプロキシミティ論理１６０３を実行するコントローラ／プロセッサ４４０の制御下で、検出されたＰＲＡＣＨ信号を送信したＵＥの距離は、ＰＲＡＣＨ信号の受信信号電力をＵＥによる既知のまたは推定送信電力と比較することによって決定され得る。決定された距離がＤＰＮ６０１からのしきい値距離とともに入る場合、コントローラ／プロセッサ４４０は、ＵＥがＤＰＮ６０１に近接していると決定する。
【０１０８】
[00123]ブロック１００５において、ＤＰＮは、プロキシミティに応答してＤＰＮの動作を変更する。たとえば、ＤＰＮ６０１が、検出されたＰＲＡＣＨ信号を送信したＵＥが近接していると決定したとき、コントローラ／プロセッサ４４０は、電力コントローラ１６０２に、ＤＰＮ６０１を低電力状態から全電力状態に切り替えさせ得る。全電力状態において、ＤＰＮ６０１は、ＵＥの現在のサービング基地局からのＵＥのハンドオーバの準備をし得るか、またはキャリアアグリゲーションアプリケーションにおいてキャリアサポートを与え得る。
【０１０９】
[00124]図１１は、本開示の一態様を実装するために実行される例示的なブロックを示す機能ブロック図である。ブロック１１００において、サービング基地局はモバイルデバイスからＰＲＡＣＨ送信を受信する。図１１に示されたブロックの例では、ｅＮＢ６０２のワイヤレス無線機１４００は、図８に関して言及された構成要素に加えて、ＭＩＭＯ検出器４３６など、個々の構成要素をも含み得る。ワイヤレス無線機１４００を通して受信された信号は、コントローラ／プロセッサ４４０の制御下で、復号され、近接ＵＥからのＰＲＡＣＨ送信として解釈される。これらの構成要素と行為の組合せは、サービング基地局において、モバイルデバイスからＰＲＡＣＨ送信を受信するための手段を与え得る。
【０１１０】
[00125]ブロック１１０１において、サービング基地局は、モバイルデバイスへのＰＲＡＣＨ肯定応答メッセージの送信を遅延させる。たとえば、ＰＲＡＣＨベースプロキシミティ論理１４０２のコントローラ／プロセッサ４４０による実行中に、実行動作は、ｅＮＢ６０２に、ＰＲＡＣＨ信号を送信したＵＥに肯定応答メッセージ（たとえば、ｍｓｇ２）を送信することを遅延させる。遅延は、タイマー（図示せず）を使用して実装されるか、またはＰＲＡＣＨ送信の受信電力を測定し、受信電力がＵＥからの全電力送信に対応するときに肯定応答の送信をトリガすることによって実装され得る。これらの構成要素と行為の組合せは、サービング基地局が、モバイルデバイスへのＰＲＡＣＨ肯定応答メッセージの送信を遅延させるための手段を与え得る。
【０１１１】
[00126]本開示の様々な態様では、しきい値は、静的に構成されるか、運用、アドミニストレーション、保守（ＯＡＭ：operations, administration, maintenance）インターフェースなどを通して、半静的に構成され得、あるいは、しきい値は、（たとえば、ＵｅＮＢ７０３などのＵｅＮＢによる）ダウンリンク測定、ネットワークイベント、またはネットワークリスニングなど、様々な状態に基づいて、動的に維持または最適化され得る。ＵＥに対するプロキシミティを検出した後に、パワーアップしたが、ハンドオーバ、またはキャリアサポートを与えるようにとの命令を経験しないという、フォールスアラームなどの問題に対処するために、動的最適化が使用され得る。そのようなフォールスアラームが特定の基地局について経験される場合、ＤＰＮは、しきい値を増加させることによって、その基地局に関連するしきい値を最適化し得る。しきい値はまた、ネイバーリスト中の基地局と特定のＤＰＮの両方の現在の負荷状態に基づいて最適化され得る。基地局が高い負荷をシグナリングする場合、ＤＰＮは、基地局負荷を緩和するために利用可能性を増加させるために、しきい値を低減し得る。ＤＰＮがより高い負荷を有する場合、しきい値は、近接ＵＥのハンドオーバによるさらなる負荷を回避するために増加され得る。
【０１１２】
[00127]図１２は、本開示の一態様を実装するために実行される例示的なブロックを示す機能ブロック図である。ブロック１２００において、ＤＰＮは、ＤＰＮにおいて低減電力モードに入る。図１０に示されたブロックの例では、ＤＰＮ６０１は、メモリ４４２に記憶された論理を実行し、ＤＰＮ６０１の特徴および機能を定義する構成要素を制御する、コントローラ／プロセッサ４４０を含む。ＤＰＮ６０１は、ワイヤレス無線機１６００と、信号検出器１６０１と、電力コントローラ１６０２とをさらに含む。ワイヤレス無線機１６００は、ＴＸ  ＭＩＭＯプロセッサ４３０、変調器／復調器４３２ａ〜ｔ、およびアンテナ４３４ａ〜ｔなど、図４にさらに示されている個々の構成要素を含み得る。信号検出器１６０１はまた、ＭＩＭＯ検出器４３６および受信プロセッサ４３８など、個々の構成要素を含み得る。被サービスＵＥとの通信に完全には関与していないとき、ＤＰＮ６０１は、電力コントローラ１６０２を制御するコントローラ／プロセッサ４４０の制御下で、低電力状態に切り替わるために電力を低減し得る。これらの構成要素と行為の組合せは、ＤＰＮにおいて低減電力モードに入るための手段を与え得る。
【０１１３】
[00128]ブロック１２０１において、ＤＰＮは、それが維持するネイバーリスト中の少なくとも１つの基地局に関連するルートシーケンスのセットを監視する。たとえば、ＤＰＮ６０１はメモリ４４２中でネイバーリスト１６０４を維持する。ネイバーリスト１６０４は、測定とネットワークリスニングとを使用してＤＰＮ６０１によって自律的にコンパイルされ、維持され得るか、あるいは、ネットワークまたは機器製造業者によって静的に構成されるか、またはネットワークを通して半静的に構成され得る。ネイバーリスト１６０４中の各基地局は、ＰＲＡＣＨ送信中で送られ得るルートシーケンスセットに基づいて区別される。コントローラ／プロセッサ４４０によるＰＲＡＣＨベースプロキシミティ論理１６０３の実行を通して、信号検出器１６０１は、ワイヤレス無線機１６００を通して受信された、検出されたＰＲＡＣＨ送信中に埋め込まれたルートシーケンスのセットを監視するように構成される。これらの構成要素と行為の組合せは、ＤＰＮが、ＤＰＮにおいてネイバーリスト中の少なくとも１つの基地局に関連するルートシーケンスのセットを監視するための手段を与え得、ここにおいて、ルートシーケンスのセットは１つまたは複数のＵＥからのＰＲＡＣＨ送信中にある。
【０１１４】
[00129]ブロック１２０２において、ＤＰＮは、ＰＲＡＣＨ送信の受信電力に基づいてＵＥのプロキシミティを決定する。たとえば、ＰＲＡＣＨベースプロキシミティ論理１６０３を実行するコントローラ／プロセッサ４４０の制御下で、検出されたＰＲＡＣＨ信号を送信したＵＥの距離は、ＰＲＡＣＨ信号の受信信号電力をＵＥによる既知のまたは推定送信電力と比較することによって決定され得る。決定された距離がＤＰＮ６０１からのしきい値距離とともに入る場合、コントローラ／プロセッサ４４０は、ＵＥがＤＰＮ６０１に近接していると決定する。これらの構成要素と行為の組合せは、ＤＰＮが、ネイバーリスト中の少なくとも１つの基地局のうちの１つに関連するルートシーケンスの検出されたセットに関連するＰＲＡＣＨ送信の受信電力に基づいて、ＵＥのプロキシミティを決定するための手段を与え得る。
【０１１５】
[00130]ブロック１２０３において、ＤＰＮは、プロキシミティに応答してＤＰＮの動作を変更する。たとえば、ＤＰＮ６０１が、検出されたＰＲＡＣＨ信号を送信したＵＥが近接していると決定したとき、コントローラ／プロセッサ４４０は、電力コントローラ１６０２に、ＤＰＮ６０１を低電力状態から全電力状態に切り替えさせ得る。全電力状態において、ＤＰＮ６０１は、ＵＥの現在のサービング基地局からのＵＥのハンドオーバの準備をし得るか、またはキャリアアグリゲーションアプリケーションにおいてキャリアサポートを与え得る。これらの構成要素と行為の組合せは、プロキシミティに応答してＤＰＮの動作を変更するための手段を与え得る。
【０１１６】
[00131]図１３は、本開示の一態様を実装するために実行される例示的なブロックを示す機能ブロック図である。ブロック１３００において、ＤＰＮは、受信電力を、ＰＲＡＣＨ送信がＵＥによってそれに送られるネイバーリスト中の基地局のうちの１つに関連するしきい値と比較する。たとえば、ネイバーリスト１６０４中で識別される基地局に加えて、ネイバーリスト１６０４中の各そのような基地局は信号しきい値１６０５中のしきい値を割り当てられ得る。しきい値は、伝搬状態、地理的特徴、アンテナ構成など、様々な特性および状態に基づいて割り当てられる。信号しきい値１６０５中のしきい値は、検出されたＰＲＡＣＨ信号を送信したＵＥのプロキシミティを決定する際に、コントローラ／プロセッサ４４０の制御下でＤＰＮ６０１によって使用される。これらの構成要素と行為の組合せは、受信電力を、ＰＲＡＣＨ送信がＵＥによってそれに送られるネイバーリスト中の少なくとも１つの基地局のうちの１つに関連するしきい値と比較するための手段を与え得、ここにおいて、ネイバーリスト中の少なくとも１つの基地局の各々はそれ自体のしきい値に関連する。
【０１１７】
[00132]ブロック１３０１において、しきい値が超えられたかどうかの決定がＤＰＮによって行われる。たとえば、ＰＲＡＣＨベースプロキシミティ論理１６０３を実行する際に、コントローラ／プロセッサ４４０は、検出されたＰＲＡＣＨ送信の受信電力を、ＵＥがＰＲＡＣＨ信号をそれに送信しているネイバーリスト１６０４中の基地局に関連する、信号しきい値１６０５中で維持される特定のしきい値と比較する。
【０１１８】
[00133]ブロック１３０２において、しきい値が満たされない場合、ＤＰＮは、ＵＥがＤＰＮに近接していないと決定する。たとえば、ＤＰＮ６０１は、しきい値が満たされていないと決定し、それの低電力状態にとどまり得る。
【０１１９】
[00134]ブロック１３０３において、しきい値が満たされる場合、ＤＰＮは、ＵＥがＤＰＮに近接していることを示す。たとえば、ＤＰＮ６０１は、しきい値が満たされると決定し、コントローラ／プロセッサ４４０の制御下で、全電力を再確立するように電力コントローラ１６０２をトリガし得る。
【０１２０】
[00135]（サービングセルが特定のサービングしきい値を下回る）Ａ２しきい値が、基地局が所与のＵＥにＰＲＡＣＨ命令を送り始めるべきかどうかを決定するために構成された場合、Ａ２しきい値とＰＲＡＣＨ電力しきい値とは、上記で説明したように一緒に最適化され得ることに留意されたい。その上、Ａ２イベント、異なるしきい値、および他の様々な関係する構成は、バックホールネットワークを使用して基地局の間で交換され得る。
【０１２１】
[00136]本開示の様々なさらなる態様では、ネイバー固有ＰＲＡＣＨ構成がサービングセル決定のために提供され得る。このプロセスは、ＰＲＡＣＨを送るＵＥがネイバーリスト中のどの基地局に関連するかを識別することを伴う。たとえば、再び図７のワイヤレスネットワーク７０を参照すると、ＤＰＮ７０２またはＵｅＮＢ７０３など、ＤＰＮがＰＲＡＣＨ信号７０５を検出したとき、ＤＰＮは、ＵＥ７０１が、サービングｅＮＢ７００に関連するのか、ｅＮＢ７０６〜７０７に関連するのか、アクセスノード７０８に関連するのかが容易にわからないことがある。しきい値は、ネイバーリスト中の特定の基地局である関連するので、ＤＰＮは、適切なしきい値を適用するために特定の基地局を識別することを望むであろう。この識別情報は、様々な態様では、ネイバーｅＮＢの間のＰＲＡＣＨリソース（たとえば、プリアンブルまたは送信時間機会）の好適な区分によって取得され得る。たとえば、プリアンブルがいつ受信されたか、またはどのプリアンブルが受信されたかに応じて、ＤＰＮ７０２またはＵｅＮＢ７０３など、ＤＰＮは、基地局のうちのいずれがサービング基地局であるかを決定し、対応するしきい値を適用する。たとえば、ＵｅＮＢ７０３がＰＲＡＣＨ信号７１０を検出した場合、ＵｅＮＢ７０３は、ｅＮＢ７０６がサービング基地局であると決定するために、ＰＲＡＣＨリソース区分（resource partitioning）を使用し得る。ＵｅＮＢ７０３は、次いで、それのネイバーリスト中のｅＮＢ７０６に関連するしきい値を適用するであろう。
【０１２２】
[00137]衝突しないＰＲＡＣＨリソース、プリアンブルＩＤ、タイミングなどをもつＰＲＡＣＨリソース区分の構成、マクロ基地局は、バックホールネットワークを使用して協調し得ることに留意されたい。そのような協調は、構成を交換することなどを通して、動的または半静的であり得る。
【０１２３】
[00138]いくつかの事例では、ＤＰＮは、たとえば、ＵＥがそれのサービングｅＮＢによりもＤＰＮに近いときに、負の遅延に遭遇し得る。この場合、検出されたＰＲＡＣＨ信号のサイクリックシフトは、ＵＥまたはサービング基地局の予想されるロケーションに基づく予想されるシフトと一致しない。ＤＰＮは、そのような負の遅延をもつプロキシミティを正確に検出することができない。したがって、そのような事例に適応するために、ＤＰＮは、２つの連続するＰＲＡＣＨサイクリックシフトを監視する。２つの連続するサイクリックシフトを用いて、ＤＰＮは、決定を行うために、２つのシフトにわたって生じる信号対干渉プラス雑音比（ＳＩＮＲ：signal-to-interference-plus-noise ratio）を平均化すること、サイクリックシフトにわたる最大受信エネルギーをとることなどを行い得る。
【０１２４】
[00139]送信側について、あいまいさを回避するために、基地局は、ネイバーセルプロキシミティ検出のためにＰＲＡＣＨ命令を送るときに隣接するシフトが使用されないことを確認すべきであることに留意されたい。
【０１２５】
[00140]発生し得るフォールスポジティブの数を低減するために、ＰＲＡＣＨの受信エネルギーに加えて、ＤＰＮによって監視されるタイミング推定値が使用され得ることにさらに留意されたい。たとえば、検出されたＰＲＡＣＨのエネルギーは特定のしきい値を超えるが、タイミングは、予想されるタイミングがどうあるべきかのあらかじめ定義されたウィンドウの外に出る場合、ＤＰＮは、完全にはアクティブ化しないことを決定し得る。そのようなあらかじめ定義されたウィンドウはネットワーク展開に基づいて決定され得る。
【０１２６】
[00141]本開示の追加の態様では、複数のＵＥからの複数のＰＲＡＣＨ信号が同じリソース上で発生したとき、干渉を低減するために干渉消去原理が使用され得ることに留意されたい。推定ＳＩＮＲは、一般に、エネルギー漏れ（energy leakage）のために高いキャリア対干渉（Ｃ／Ｉ：carrier-to-interference）において飽和する。この関係により、（ｉ）ＵＥからＤＰＮへのチャネルインパルス応答を推定し、（ｉｉ）シーケンスとチャネルの両方が既知であるかまたは推定されるので、送信されたプリアンブルに対応する受信信号を再構成し、（ｉｉｉ）受信信号から再構成された信号を削除し、（ｉｖ）雑音を計算するために、クリーンアップされた受信信号と未使用ルートシーケンスとの相互相関を計算することが可能である。これらのステップは、あらゆる検出されたシーケンスについて繰り返される。
【０１２７】
[00142]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[00143]図８〜図１３の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１２９】
[00144]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【０１３０】
[00145]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３１】
[00146]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１３２】
[00147]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読記憶媒体は、汎用または専用コンピュータによってアクセスされ得る任意の利用可能な媒体であり得る。限定ではなく例として、そのようなコンピュータ可読記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、非一時的接続は、コンピュータ可読媒体の定義内に適切に含まれ得る。たとえば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１３３】
[00148]本開示についての以上の説明は、いかなる当業者も本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］サービング基地局から、前記サービング基地局によってサービスされるモバイルデバイスに信号を送信すること、ここにおいて、前記信号が前記モバイルデバイスからの周期物理ランダムアクセスチャネル（ＰＲＡＣＨ）送信をトリガする、
を備える、ワイヤレス通信の方法。
［Ｃ２］前記サービング基地局から、前記モバイルデバイスに非アクティブ化信号を送信すること、ここにおいて、前記非アクティブ化信号が前記モバイルデバイスからの前記周期ＰＲＡＣＨ送信を停止する、
をさらに備える、［Ｃ１］に記載の方法。
［Ｃ３］前記信号が、
前記周期ＰＲＡＣＨ送信の持続時間、
前記周期ＰＲＡＣＨ送信の間隔、および
前記周期ＰＲＡＣＨ送信の周期性
のうちの１つまたは複数を含む、［Ｃ１］に記載の方法。
［Ｃ４］前記信号は、
前記周期ＰＲＡＣＨ送信のためのシグネチャシーケンスセット、
開ループ送信電力制御のための送信電力デルタ、
前記周期ＰＲＡＣＨ送信のための固定送信電力、
プロキシミティ検出フラグ、ここにおいて、前記プロキシミティ検出フラグが、標準送信電力および前記固定送信電力のうちの１つを使用することを前記モバイルデバイスに示す、
復号継続信号、ここにおいて、前記復号継続信号が、前記周期ＰＲＡＣＨ送信中に前記サービング基地局から受信されたデータを復号し続けることを前記モバイルデバイスにシグナリングする、および
それらの組合せ
のうちの１つまたは複数を含む、［Ｃ１］に記載の方法。
［Ｃ５］前記固定送信電力が、
前記モバイルデバイスの最大送信電力よりも小さい所定の送信電力、および
前記モバイルデバイスの前記最大送信電力
のうちの１つを含む、［Ｃ４］に記載の方法。
［Ｃ６］前記所定の送信電力がワイヤレス通信ネットワークによってシグナリングされる、［Ｃ５］に記載の方法。
［Ｃ７］前記信号が、前記周期ＰＲＡＣＨ送信中に前記サービング基地局から受信されたデータを復号し続けるように前記モバイルデバイスをトリガする、［Ｃ１］に記載の方法。
［Ｃ８］前記サービング基地局において、前記周期ＰＲＡＣＨ送信中の前記モバイルデバイスからＰＲＡＣＨ送信を受信することと、
前記サービング基地局が、前記モバイルデバイスへのＰＲＡＣＨ肯定応答メッセージの送信を遅延させることと
をさらに備える、［Ｃ１］に記載の方法。
［Ｃ９］前記モバイルデバイスに関連する前記受信されたＰＲＡＣＨ中でプリアンブルを検出することをさらに備え、ここにおいて、前記遅延させることが、
所定の時間の間前記ＰＲＡＣＨ肯定応答の送信を遅延させること
を含む、［Ｃ８］に記載の方法。
［Ｃ１０］動的電力ノード（ＤＰＮ）において低減電力モードに入ることと、
前記ＤＰＮが、前記ＤＰＮに近接した１つまたは複数のユーザ機器（ＵＥ）からの物理ランダムアクセスチャネル（ＰＲＡＣＨ）送信を監視することと、
複数の候補ＰＲＡＣＨ送信を検出することと、
ＵＥからの検出されたＰＲＡＣＨ送信を決定するために前記ＤＰＮにおいて前記複数の候補ＰＲＡＣＨ送信を組み合わせることと、
前記ＤＰＮが、前記検出されたＰＲＡＣＨ送信に基づいて前記ＵＥのプロキシミティを決定することと、
前記プロキシミティに応答して前記ＤＰＮの動作を変更することと
を備える、ワイヤレス通信の方法。
［Ｃ１１］前記ＤＰＮが、前記ＤＰＮにおいてネイバーリスト中の少なくとも１つの基地局に関連するルートシーケンスのセットを監視すること、ここにおいて、ルートシーケンスの前記セットが前記１つまたは複数のＵＥからの前記ＰＲＡＣＨ送信中にある、をさらに備え、ここにおいて、前記決定することが、
前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定すること
を備える、［Ｃ１０］に記載の方法。
［Ｃ１２］前記ネイバーリストが、
前記ＤＰＮのネットワーク事業者によってあらかじめ決定されるか、
ダウンリンクチャネル測定およびネットワークリスニングのうちの１つまたは複数に基づいて前記ＤＰＮによって自律的にアセンブルされるか
のうちの１つである、［Ｃ１１］に記載の方法。
［Ｃ１３］前記ＤＰＮが、ネットワークイベントおよびＵＥ報告測定のうちの１つまたは複数を検出することと、
ネットワークイベントおよびＵＥ報告測定のうちの前記１つまたは複数に応答して前記ネイバーリストを変更することと
をさらに備える、［Ｃ１１］に記載の方法。
［Ｃ１４］前記決定することは、
前記受信電力を、前記ＰＲＡＣＨ送信が前記ＵＥによってそれに送られる前記ネイバーリスト中の前記少なくとも１つの基地局のうちの前記１つに関連するしきい値と比較すること、ここにおいて、前記ネイバーリスト中の前記少なくとも１つの基地局の各々がそれ自体のしきい値に関連する、
を含む、［Ｃ１１］に記載の方法。
［Ｃ１５］前記しきい値が、
前記ネイバーリスト中の前記少なくとも１つの基地局の伝搬状態、
前記ネイバーリスト中の前記少なくとも１つの基地局のアンテナ構成、および
前記ネイバーリスト中の前記少なくとも１つの基地局のカバレージエリア内の地理的特徴
のうちの１つまたは複数に基づく、［Ｃ１４］に記載の方法。
［Ｃ１６］前記ＤＰＮが、前記少なくとも１つの基地局の各々のための前記しきい値を変更することをさらに備え、ここにおいて、前記変更することが、
ダウンリンク測定、
ネットワークイベント、
ネットワークリスニング、
前記ＤＰＮおよび前記少なくとも１つの基地局のうちの１つについての負荷状態
のうちの１つまたは複数に基づく、［Ｃ１４］に記載の方法。
［Ｃ１７］前記変更することがまた、Ａ２イベントしきい値を変更することを含む、［Ｃ１６］に記載の方法。
［Ｃ１８］前記ＤＰＮが、１つまたは複数の他の基地局を用いて前記少なくとも１つの基地局の各々のための前記しきい値を送信することと、
前記ＤＰＮにおいて、前記１つまたは複数の他の基地局から前記少なくとも１つの基地局に関連する追加のしきい値を受信することと
をさらに備える、［Ｃ１６］に記載の方法。
［Ｃ１９］前記ＰＲＡＣＨ送信のリソース区分を検出することと、
前記リソース区分に基づいて前記ＰＲＡＣＨ送信がそれに送られる前記少なくとも１つの基地局のうちの１つの基地局を決定することと
をさらに備える、［Ｃ１４］に記載の方法。
［Ｃ２０］前記ＤＰＮが、前記リソース区分を１つまたは複数の他の基地局と協調させることをさらに備える、［Ｃ１９］に記載の方法。
［Ｃ２１］ワイヤレス通信のために構成された装置であって、
少なくとも１つのプロセッサと、
前記少なくとも１つのプロセッサに結合されたメモリとを備え、
ここにおいて、前記少なくとも１つのプロセッサは、
サービング基地局から、前記サービング基地局によってサービスされるモバイルデバイスに信号を送信すること、ここにおいて、前記信号が前記モバイルデバイスからの周期物理ランダムアクセスチャネル（ＰＲＡＣＨ）送信をトリガする、
を行うように構成された、装置。
［Ｃ２２］前記サービング基地局から、前記モバイルデバイスに非アクティブ化信号を送信すること、ここにおいて、前記非アクティブ化信号が前記モバイルデバイスからの前記周期ＰＲＡＣＨ送信を停止する、を行うための前記少なくとも１つのプロセッサの構成をさらに備える、［Ｃ２１］に記載の装置。
［Ｃ２３］前記信号が、
前記周期ＰＲＡＣＨ送信の持続時間、
前記周期ＰＲＡＣＨ送信の間隔、および
前記周期ＰＲＡＣＨ送信の周期性
のうちの１つまたは複数を含む、［Ｃ２１］に記載の装置。
［Ｃ２４］前記信号は、
前記周期ＰＲＡＣＨ送信のためのシグネチャシーケンスセット、
開ループ送信電力制御のための送信電力デルタ、
前記周期ＰＲＡＣＨ送信のための固定送信電力、
プロキシミティ検出フラグ、ここにおいて、前記プロキシミティ検出フラグが、標準送信電力および前記固定送信電力のうちの１つを使用することを前記モバイルデバイスに示す、
復号継続信号、ここにおいて、前記復号継続信号が、前記周期ＰＲＡＣＨ送信中に前記サービング基地局から受信されたデータを復号し続けることを前記モバイルデバイスにシグナリングする、および
それらの組合せ
のうちの１つまたは複数を含む、［Ｃ２１］に記載の装置。
［Ｃ２５］前記サービング基地局において、前記周期ＰＲＡＣＨ送信中の前記モバイルデバイスからＰＲＡＣＨ送信を受信することと、
前記サービング基地局が、前記モバイルデバイスへのＰＲＡＣＨ肯定応答メッセージの送信を遅延させることと
を行うための前記少なくとも１つのプロセッサの構成をさらに備える、［Ｃ２１］に記載の装置。
［Ｃ２６］ワイヤレス通信のために構成された装置であって、
少なくとも１つのプロセッサと、
前記少なくとも１つのプロセッサに結合されたメモリとを備え、
ここにおいて、前記少なくとも１つのプロセッサは、
動的電力ノード（ＤＰＮ）において低減電力モードに入ることと、
前記ＤＰＮが、前記ＤＰＮに近接した１つまたは複数のユーザ機器（ＵＥ）からの物理ランダムアクセスチャネル（ＰＲＡＣＨ）送信を監視することと、
複数の候補ＰＲＡＣＨ送信を検出することと、
ＵＥからの検出されたＰＲＡＣＨ送信を決定するために前記ＤＰＮにおいて前記複数の候補ＰＲＡＣＨ送信を組み合わせることと、
前記ＤＰＮが、前記検出されたＰＲＡＣＨ送信に基づいて前記ＵＥのプロキシミティを決定することと、
前記プロキシミティに応答して前記ＤＰＮの動作を変更することと
を行うように構成された、装置。
［Ｃ２７］前記ＤＰＮが、前記ＤＰＮにおいてネイバーリスト中の少なくとも１つの基地局に関連するルートシーケンスのセットを監視すること、ここにおいて、ルートシーケンスの前記セットが前記１つまたは複数のＵＥからの前記ＰＲＡＣＨ送信中にある、を行うための前記少なくとも１つのプロセッサの構成をさらに備え、ここにおいて、決定するための前記少なくとも１つのプロセッサの前記構成が、
前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定すること
を行うための構成を備える、［Ｃ２６］に記載の装置。
［Ｃ２８］前記ネイバーリストが、
前記ＤＰＮのネットワーク事業者によってあらかじめ決定されるか、
ダウンリンクチャネル測定およびネットワークリスニングのうちの１つまたは複数に基づいて前記ＤＰＮによって自律的にアセンブルされるか
のうちの１つである、［Ｃ２７］に記載の装置。
［Ｃ２９］前記ＤＰＮが、ネットワークイベントおよびＵＥ報告測定のうちの１つまたは複数を検出することと、
ネットワークイベントおよびＵＥ報告測定のうちの前記１つまたは複数に応答して前記ネイバーリストを変更することと
を行うための前記少なくとも１つのプロセッサの構成をさらに備える、［Ｃ２７］に記載の装置。
［Ｃ３０］決定するための前記少なくとも１つのプロセッサの前記構成は、前記受信電力を、前記ＰＲＡＣＨ送信が前記ＵＥによってそれに送られる前記ネイバーリスト中の前記少なくとも１つの基地局のうちの前記１つに関連するしきい値と比較すること、ここにおいて、前記ネイバーリスト中の前記少なくとも１つの基地局の各々がそれ自体のしきい値に関連する、を行うための構成を含む、［Ｃ２７］に記載の装置。
【図１】
2018129817.tif 000003
【図２】
2018129817.tif 000004
【図３】
2018129817.tif 000005
【図４】
2018129817.tif 000006
【図５】
2018129817.tif 000007
【図６】
2018129817.tif 000008
【図７】
2018129817.tif 000009
【図８】
2018129817.tif 000010
【図９】
2018129817.tif 000011
【図１０】
2018129817.tif 000012
【図１１】
2018129817.tif 000013
【図１２】
2018129817.tif 000014
【図１３】
2018129817.tif 000015
【図１４】
2018129817.tif 000016
【図１５】
2018129817.tif 000017
【図１６】
2018129817.tif 000018
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
動的電力ノード（ＤＰＮ）において低減電力モードに入ることと、
前記ＤＰＮが、前記ＤＰＮに近接した１つまたは複数のユーザ機器（ＵＥ）からの物理ランダムアクセスチャネル（ＰＲＡＣＨ）送信を監視することと、
複数の候補ＰＲＡＣＨ送信を検出することと、
ＵＥからの検出されたＰＲＡＣＨ送信を決定するために前記ＤＰＮにおいて前記複数の候補ＰＲＡＣＨ送信を組み合わせることと、
前記ＤＰＮが、前記検出されたＰＲＡＣＨ送信に基づいて前記ＵＥのプロキシミティを決定することと、
前記プロキシミティに応答して前記ＤＰＮの動作を変更することと
を備える、方法。
【請求項２】
前記ＤＰＮが、前記ＤＰＮにおいてネイバーリスト中の少なくとも１つの基地局に関連するルートシーケンスのセットを監視すること、ここにおいて、ルートシーケンスの前記セットが前記１つまたは複数のＵＥからの前記ＰＲＡＣＨ送信中にある、をさらに備え、ここにおいて、前記決定することが、
前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定すること
を備える、請求項１に記載の方法。
【請求項３】
前記ネイバーリストが、
前記ＤＰＮのネットワーク事業者によってあらかじめ決定されるか、
ダウンリンクチャネル測定およびネットワークリスニングのうちの１つまたは複数に基づいて前記ＤＰＮによって自律的にアセンブルされるか
のうちの１つである、請求項２に記載の方法。
【請求項４】
前記ＤＰＮが、ネットワークイベントおよびＵＥ報告測定のうちの１つまたは複数を検出することと、
ネットワークイベントおよびＵＥ報告測定のうちの前記１つまたは複数に応答して前記ネイバーリストを変更することと
をさらに備える、請求項２に記載の方法。
【請求項５】
前記決定することは、
前記受信電力を、前記ＰＲＡＣＨ送信が前記ＵＥによってそれに送られる前記ネイバーリスト中の前記少なくとも１つの基地局のうちの前記１つに関連するしきい値と比較すること、ここにおいて、前記ネイバーリスト中の前記少なくとも１つの基地局の各々がそれ自体のしきい値に関連する、
を含む、請求項２に記載の方法。
【請求項６】
前記しきい値が、
前記ネイバーリスト中の前記少なくとも１つの基地局の伝搬状態、
前記ネイバーリスト中の前記少なくとも１つの基地局のアンテナ構成、および
前記ネイバーリスト中の前記少なくとも１つの基地局のカバレージエリア内の地理的特徴
のうちの１つまたは複数に基づく、請求項５に記載の方法。
【請求項７】
前記ＤＰＮが、前記少なくとも１つの基地局の各々のための前記しきい値を変更することをさらに備え、ここにおいて、前記変更することが、
ダウンリンク測定、
ネットワークイベント、
ネットワークリスニング、
前記ＤＰＮおよび前記少なくとも１つの基地局のうちの１つについての負荷状態
のうちの１つまたは複数に基づく、請求項５に記載の方法。
【請求項８】
前記変更することがまた、Ａ２イベントしきい値を変更することを含む、請求項７に記載の方法。
【請求項９】
前記ＤＰＮが、１つまたは複数の他の基地局を用いて前記少なくとも１つの基地局の各々のための前記しきい値を送信することと、
前記ＤＰＮにおいて、前記１つまたは複数の他の基地局から前記少なくとも１つの基地局に関連する追加のしきい値を受信することと
をさらに備える、請求項７に記載の方法。
【請求項１０】
前記ＰＲＡＣＨ送信のリソース区分を検出することと、
前記リソース区分に基づいて前記ＰＲＡＣＨ送信がそれに送られる前記少なくとも１つの基地局のうちの１つの基地局を決定することと
をさらに備える、請求項５に記載の方法。
【請求項１１】
前記ＤＰＮが、前記リソース区分を１つまたは複数の他の基地局と協調させることをさらに備える、請求項１０に記載の方法。
【請求項１２】
ワイヤレス通信のために構成された装置であって、
少なくとも１つのプロセッサと、
前記少なくとも１つのプロセッサに結合されたメモリとを備え、
ここにおいて、前記少なくとも１つのプロセッサは、
動的電力ノード（ＤＰＮ）において低減電力モードに入ることと、
前記ＤＰＮが、前記ＤＰＮに近接した１つまたは複数のユーザ機器（ＵＥ）からの物理ランダムアクセスチャネル（ＰＲＡＣＨ）送信を監視することと、
複数の候補ＰＲＡＣＨ送信を検出することと、
ＵＥからの検出されたＰＲＡＣＨ送信を決定するために前記ＤＰＮにおいて前記複数の候補ＰＲＡＣＨ送信を組み合わせることと、
前記ＤＰＮが、前記検出されたＰＲＡＣＨ送信に基づいて前記ＵＥのプロキシミティを決定することと、
前記プロキシミティに応答して前記ＤＰＮの動作を変更することと
を行うように構成された、装置。
【請求項１３】
前記ＤＰＮが、前記ＤＰＮにおいてネイバーリスト中の少なくとも１つの基地局に関連するルートシーケンスのセットを監視すること、ここにおいて、ルートシーケンスの前記セットが前記１つまたは複数のＵＥからの前記ＰＲＡＣＨ送信中にある、を行うための前記少なくとも１つのプロセッサの構成をさらに備え、ここにおいて、決定するための前記少なくとも１つのプロセッサの前記構成が、
前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定すること
を行うための構成を備える、請求項１２に記載の装置。
【請求項１４】
前記ネイバーリストが、
前記ＤＰＮのネットワーク事業者によってあらかじめ決定されるか、
ダウンリンクチャネル測定およびネットワークリスニングのうちの１つまたは複数に基づいて前記ＤＰＮによって自律的にアセンブルされるか
のうちの１つである、請求項１３に記載の装置。
【請求項１５】
前記ＤＰＮが、ネットワークイベントおよびＵＥ報告測定のうちの１つまたは複数を検出することと、
ネットワークイベントおよびＵＥ報告測定のうちの前記１つまたは複数に応答して前記ネイバーリストを変更することと
を行うための前記少なくとも１つのプロセッサの構成をさらに備える、請求項１３に記載の装置。
【請求項１６】
決定するための前記少なくとも１つのプロセッサの前記構成は、前記受信電力を、前記ＰＲＡＣＨ送信が前記ＵＥによってそれに送られる前記ネイバーリスト中の前記少なくとも１つの基地局のうちの前記１つに関連するしきい値と比較すること、ここにおいて、前記ネイバーリスト中の前記少なくとも１つの基地局の各々がそれ自体のしきい値に関連する、を行うための構成を含む、請求項１３に記載の装置。
【請求項１７】
前記しきい値が、
前記ネイバーリスト中の前記少なくとも１つの基地局の伝搬状態、
前記ネイバーリスト中の前記少なくとも１つの基地局のアンテナ構成、および
前記ネイバーリスト中の前記少なくとも１つの基地局のカバレージエリア内の地理的特徴
のうちの１つまたは複数に基づく、請求項１６に記載の装置。
【請求項１８】
前記ＤＰＮが、前記少なくとも１つの基地局の各々のための前記しきい値を変更することを行うための前記少なくとも１つのプロセッサの構成をさらに備え、ここにおいて、前記変更することが、
ダウンリンク測定、
ネットワークイベント、
ネットワークリスニング、
前記ＤＰＮおよび前記少なくとも１つの基地局のうちの１つについての負荷状態
のうちの１つまたは複数に基づく、請求項１６に記載の装置。
【請求項１９】
前記しきい値を変更するための前記少なくとも１つのプロセッサの前記構成がまた、Ａ２イベントしきい値を変更するための構成を含む、請求項１８に記載の装置。
【請求項２０】
前記ＤＰＮが、１つまたは複数の他の基地局を用いて前記少なくとも１つの基地局の各々のための前記しきい値を送信することと、
前記ＤＰＮにおいて、前記１つまたは複数の他の基地局から前記少なくとも１つの基地局に関連する追加のしきい値を受信することと
を行うための前記少なくとも１つのプロセッサの構成をさらに備える、請求項１８に記載の装置。
【請求項２１】
前記ＰＲＡＣＨ送信のリソース区分を検出することと、
前記リソース区分に基づいて前記ＰＲＡＣＨ送信がそれに送られる前記少なくとも１つの基地局のうちの１つの基地局を決定することと
を行うための前記少なくとも１つのプロセッサの構成をさらに備える、請求項１６に記載の装置。
【請求項２２】
前記ＤＰＮが、前記リソース区分を１つまたは複数の他の基地局と協調させることを行うための前記少なくとも１つのプロセッサの構成をさらに備える、請求項２１に記載の装置。
【請求項２３】
ワイヤレス通信のために構成された装置であって、
動的電力ノード（ＤＰＮ）において低減電力モードに入るための手段と、
前記ＤＰＮが、前記ＤＰＮに近接した１つまたは複数のユーザ機器（ＵＥ）からの物理ランダムアクセスチャネル（ＰＲＡＣＨ）送信を監視するための手段と、
複数の候補ＰＲＡＣＨ送信を検出するための手段と、
ＵＥからの検出されたＰＲＡＣＨ送信を決定するために前記ＤＰＮにおいて前記複数の候補ＰＲＡＣＨ送信を組み合わせるための手段と、
前記ＤＰＮが、前記検出されたＰＲＡＣＨ送信に基づいて前記ＵＥのプロキシミティを決定するための手段と、
前記プロキシミティに応答して前記ＤＰＮの動作を変更するための手段と
を備える、装置。
【請求項２４】
前記ＤＰＮが、前記ＤＰＮにおいてネイバーリスト中の少なくとも１つの基地局に関連するルートシーケンスのセットを監視するための手段、ここにおいて、ルートシーケンスの前記セットが前記１つまたは複数のＵＥからの前記ＰＲＡＣＨ送信中にある、前記少なくとも１つのプロセッサの構成をさらに備え、ここにおいて、決定するための前記手段が、
前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定するための手段
を備える、請求項２３に記載の装置。
【請求項２５】
前記ネイバーリストが、
前記ＤＰＮのネットワーク事業者によってあらかじめ決定されるか、
ダウンリンクチャネル測定およびネットワークリスニングのうちの１つまたは複数に基づいて前記ＤＰＮによって自律的にアセンブルされるか
のうちの１つである、請求項２４に記載の装置。
【請求項２６】
前記ＤＰＮが、ネットワークイベントおよびＵＥ報告測定のうちの１つまたは複数を検出するための手段と、
ネットワークイベントおよびＵＥ報告測定のうちの前記１つまたは複数に応答して前記ネイバーリストを変更するための手段と
をさらに備える、請求項２４に記載の装置。
【請求項２７】
決定するための前記手段は、
前記受信電力を、前記ＰＲＡＣＨ送信が前記ＵＥによってそれに送られる前記ネイバーリスト中の前記少なくとも１つの基地局のうちの前記１つに関連するしきい値と比較するための手段、ここにおいて、前記ネイバーリスト中の前記少なくとも１つの基地局の各々がそれ自体のしきい値に関連する、
を含む、請求項２４に記載の装置。
【請求項２８】
プログラムコードを記憶した非一時的コンピュータ可読媒体であって、前記プログラムコードは、コンピュータに、
動的電力ノード（ＤＰＮ）において低減電力モードに入ることと、
前記ＤＰＮが、前記ＤＰＮに近接した１つまたは複数のユーザ機器（ＵＥ）からの物理ランダムアクセスチャネル（ＰＲＡＣＨ）送信を監視することと、
複数の候補ＰＲＡＣＨ送信を検出することと、
ＵＥからの検出されたＰＲＡＣＨ送信を決定するために前記ＤＰＮにおいて前記複数の候補ＰＲＡＣＨ送信を組み合わせることと、
前記ＤＰＮが、前記検出されたＰＲＡＣＨ送信に基づいて前記ＵＥのプロキシミティを決定することと、
前記プロキシミティに応答して前記ＤＰＮの動作を変更することと
を行わせるためのプログラムコードを備える、非一時的コンピュータ可読媒体。
【請求項２９】
前記コンピュータに、前記ＤＰＮが、前記ＤＰＮにおいてネイバーリスト中の少なくとも１つの基地局に関連するルートシーケンスのセットを監視すること、ここにおいて、ルートシーケンスの前記セットが前記１つまたは複数のＵＥからの前記ＰＲＡＣＨ送信中にある、を行わせるためのプログラムコードをさらに備え、ここにおいて、前記コンピュータに決定させるための前記プログラムコードが、
前記コンピュータに、前記ネイバーリスト中の前記少なくとも１つの基地局のうちの１つに関連するルートシーケンスの検出されたセットに関連する前記ＰＲＡＣＨ送信の受信電力に基づいて、前記ＵＥの前記プロキシミティを決定すること
を行わせるためのプログラムコードを備える、請求項２８に記載の非一時的コンピュータ可読媒体。
【請求項３０】
前記コンピュータに、
前記ＤＰＮが、ネットワークイベントおよびＵＥ報告測定のうちの１つまたは複数を検出することと、
ネットワークイベントおよびＵＥ報告測定のうちの前記１つまたは複数に応答して前記ネイバーリストを変更することと
を行わせるためのプログラムコードをさらに備える、請求項２９に記載の非一時的コンピュータ可読媒体。